(57)【特許請求の範囲】
【請求項１】
切替表示可能な複数の設定画面の中から選択された所望の設定画面内の表示項目に関するユーザ設定操作を行うことが可能な項目設定装置であって、
前記複数の設定画面の複数の設定項目の中からユーザにより選択された設定項目である被選択項目を配置することが可能なカスタマイズ画面を表示する表示制御手段と、
前記被選択項目の設定内容として設定可能な複数の設定候補のうち、前記被選択項目に関する選択肢の一覧を表示する選択肢表示欄に表示すべき設定候補である表示対象候補を指定する第１の設定操作を受け付ける入力制御手段と、
を備え、
前記表示制御手段は、前記第１の設定操作が受け付けられた後において、前記被選択項目の前記選択肢表示欄を前記カスタマイズ画面に表示するとともに、前記複数の設定候補のうち前記第１の設定操作により指定された前記表示対象候補のみを前記被選択項目に関する選択肢として前記選択肢表示欄において表示し、
前記被選択項目は、前記被選択項目と前記被選択項目に付随するサブ設定項目とで構成される２階層の設定項目のうちの上位階層の設定項目であり、
前記サブ設定項目は、前記２階層の設定項目のうちの下位階層の設定項目であり、
前記入力制御手段は、前記２階層の設定項目の設定候補を非階層化して並べて表示すべき旨を指示する第２の設定操作であって、前記被選択項目の設定候補と前記サブ設定項目の設定候補との組合せを前記被選択項目に関する選択肢として前記選択肢表示欄に表示すべき旨、を指示する第２の設定操作をも受け付け、
前記第１の設定操作は、前記第２の設定操作が受け付けられた後において、前記被選択項目における前記複数の設定候補と前記サブ設定項目の設定内容として設定可能な複数のサブ設定候補との複数の組合せのうち前記被選択項目に関する選択肢として前記選択肢表示欄に表示すべき組合せを指定する操作であり、
前記表示制御手段は、前記第１の設定操作と前記第２の設定操作とが受け付けられた後において、前記被選択項目の前記選択肢表示欄を前記カスタマイズ画面に表示するとともに、前記複数の組合せのうち前記第１の設定操作により指定された組合せのみを前記被選択項目に関する選択肢として前記選択肢表示欄において表示することを特徴とする項目設定装置。
【請求項２】
切替表示可能な複数の設定画面の中から選択された所望の設定画面内の表示項目に関するユーザ設定操作を行うことが可能な項目設定装置に内蔵されたコンピュータに、
ａ）前記複数の設定画面の複数の設定項目の中からユーザにより選択された設定項目である被選択項目の設定内容として設定可能な複数の設定候補のうち、前記被選択項目に関する選択肢の一覧を表示する選択肢表示欄に表示すべき設定候補である表示対象候補を指定する第１の設定操作を受け付けるステップと、
ｂ）前記第１の設定操作が受け付けられた後において、前記被選択項目を配置することが可能なカスタマイズ画面に前記被選択項目の前記選択肢表示欄を表示するとともに、前記複数の設定候補のうち前記第１の設定操作により指定された前記表示対象候補のみを前記被選択項目に関する選択肢として前記選択肢表示欄において表示するステップと、
を実行させるためのプログラムであって、
前記被選択項目は、前記被選択項目と前記被選択項目に付随するサブ設定項目とで構成される２階層の設定項目のうちの上位階層の設定項目であり、
前記サブ設定項目は、前記２階層の設定項目のうちの下位階層の設定項目であり、
前記プログラムは、
ｃ）前記２階層の設定項目の設定候補を非階層化して並べて表示すべき旨を指示する第２の設定操作であって、前記被選択項目の設定候補と前記サブ設定項目の設定候補との組合せを前記被選択項目に関する選択肢として前記選択肢表示欄に表示すべき旨、を指示する第２の設定操作を受け付けるステップ、
を前記コンピュータにさらに実行させ、
前記第１の設定操作は、前記第２の設定操作が受け付けられた後において、前記被選択項目における前記複数の設定候補と前記サブ設定項目の設定内容として設定可能な複数のサブ設定候補との複数の組合せのうち前記被選択項目に関する選択肢として前記選択肢表示欄に表示すべき組合せを指定する操作であり、
前記ステップｂ）においては、前記第１の設定操作と前記第２の設定操作とが受け付けられた後において、前記被選択項目の前記選択肢表示欄が前記カスタマイズ画面に表示されるとともに、前記複数の組合せのうち前記第１の設定操作により指定された組合せのみが、前記被選択項目に関する選択肢として前記選択肢表示欄において表示されることを特徴とするプログラム。
【請求項３】
切替表示可能な複数の設定画面の中から選択された所望の設定画面内の表示項目に関するユーザ設定操作を行うことが可能な項目設定装置であって、
前記複数の設定画面の複数の設定項目の中からユーザにより選択された設定項目である被選択項目を配置することが可能なカスタマイズ画面を表示する表示制御手段と、
前記被選択項目の設定内容として設定可能な複数の設定候補のうち、前記被選択項目に関する選択肢の一覧を表示する選択肢表示欄に表示すべき設定候補である表示対象候補を指定する第１の設定操作を受け付ける入力制御手段と、
を備え、
前記表示制御手段は、前記第１の設定操作が受け付けられた後において、前記被選択項目の前記選択肢表示欄を前記カスタマイズ画面に表示するとともに、前記複数の設定候補のうち前記第１の設定操作により指定された前記表示対象候補のみを前記被選択項目に関する選択肢として前記選択肢表示欄において表示し、
前記入力制御手段は、第１の種類のユーザインターフェース部品と第２の種類のユーザインターフェース部品とを含む複数の種類のユーザインターフェース部品のうちのいずれの種類のユーザインターフェース部品を前記選択肢表示欄の表示に用いるか、に関する第２の設定操作をも受け付け、
前記第１の種類のユーザインターフェース部品は、前記選択肢表示欄を表示すべき旨を指示するための指示ボタンを有し且つ前記指示ボタンの押下操作に応答して前記選択肢表示欄を表示する種類のユーザインターフェース部品であり、
前記第２の種類のユーザインターフェース部品は、前記第１の種類のユーザインターフェース部品とは異なる種類のユーザインターフェース部品であって、前記指示ボタンを有さず且つ前記カスタマイズ画面自体において前記選択肢表示欄を常に表示する種類のユーザインターフェース部品であり、
前記表示制御手段は、前記第１の設定操作と前記第２の設定操作とが受け付けられた後において、前記複数の種類のユーザインターフェース部品のうち前記第２の設定操作に基づき決定された種類のユーザインターフェース部品を用いて前記選択肢表示欄を前記カスタマイズ画面に表示するとともに、前記複数の設定候補のうち前記第１の設定操作により指定された前記表示対象候補のみを前記被選択項目に関する選択肢として前記選択肢表示欄において表示することを特徴とする項目設定装置。
【請求項４】
請求項３に記載の項目設定装置において、
前記第２の設定操作は、前記複数の種類のユーザインターフェース部品のうち前記選択肢表示欄の表示に用いる種類のユーザインターフェース部品を指定する操作であり、
前記表示制御手段は、前記第１の設定操作と前記第２の設定操作とが受け付けられた後において、前記複数の種類のユーザインターフェース部品のうち前記第２の設定操作により指定された種類のユーザインターフェース部品を用いて前記選択肢表示欄を前記カスタマイズ画面に表示するとともに、前記複数の設定候補のうち前記第１の設定操作により指定された前記表示対象候補のみを前記被選択項目に関する選択肢として前記選択肢表示欄において表示することを特徴とする項目設定装置。
【請求項５】
請求項３に記載の項目設定装置において、
前記第２の設定操作は、前記複数の種類のユーザインターフェース部品のうち、前記表示対象候補の個数と所定個数との大小関係の判定結果に応じて決定された種類のユーザインターフェース部品を用いて前記選択肢表示欄を表示すべき旨を指示する操作であり、
前記表示制御手段は、
前記第１の設定操作と前記第２の設定操作とが受け付けられた後において、前記第１の設定操作により指定された前記表示対象候補の個数と前記所定個数との大小関係を判定し、
前記第１の設定操作により指定された前記表示対象候補の個数が前記所定個数よりも多い旨が判定される場合には、前記第１の種類のユーザインターフェース部品を用いて前記選択肢表示欄を前記カスタマイズ画面に表示するとともに、前記複数の設定候補のうち前記第１の設定操作により指定された前記表示対象候補のみを前記被選択項目に関する選択肢として前記選択肢表示欄において表示し、
前記第１の設定操作により指定された前記表示対象候補の個数が前記所定個数よりも少ない旨が判定される場合には、前記第２の種類のユーザインターフェース部品を用いて前記選択肢表示欄を前記カスタマイズ画面に表示するとともに、前記複数の設定候補のうち前記第１の設定操作により指定された前記表示対象候補のみを前記被選択項目に関する選択肢として前記選択肢表示欄において表示することを特徴とする項目設定装置。
【請求項６】
切替表示可能な複数の設定画面の中から選択された所望の設定画面内の表示項目に関するユーザ設定操作を行うことが可能な項目設定装置に内蔵されたコンピュータに、
ａ）前記複数の設定画面の複数の設定項目の中からユーザにより選択された設定項目である被選択項目の設定内容として設定可能な複数の設定候補のうち、前記被選択項目に関する選択肢の一覧を表示する選択肢表示欄に表示すべき設定候補である表示対象候補を指定する第１の設定操作を受け付けるステップと、
ｂ）第１の種類のユーザインターフェース部品と第２の種類のユーザインターフェース部品とを含む複数の種類のユーザインターフェース部品のうちのいずれの種類のユーザインターフェース部品を前記選択肢表示欄の表示に用いるか、に関する第２の設定操作を受け付けるステップと、
ｃ）前記第１の設定操作と前記第２の設定操作とが受け付けられた後において、前記被選択項目を配置することが可能なカスタマイズ画面に前記被選択項目の前記選択肢表示欄を表示するとともに、前記複数の設定候補のうち前記第１の設定操作により指定された前記表示対象候補のみを前記被選択項目に関する選択肢として前記選択肢表示欄において表示するステップと、
を実行させるためのプログラムであって、
前記第１の種類のユーザインターフェース部品は、前記選択肢表示欄を表示すべき旨を指示するための指示ボタンを有し且つ前記指示ボタンの押下操作に応答して前記選択肢表示欄を表示する種類のユーザインターフェース部品であり、
前記第２の種類のユーザインターフェース部品は、前記第１の種類のユーザインターフェース部品とは異なる種類のユーザインターフェース部品であって、前記指示ボタンを有さず且つ前記カスタマイズ画面自体において前記選択肢表示欄を常に表示する種類のユーザインターフェース部品であり、
前記ステップｃ）においては、前記第１の設定操作と前記第２の設定操作とが受け付けられた後において、前記複数の種類のユーザインターフェース部品のうち前記第２の設定操作に基づき決定された種類のユーザインターフェース部品を用いて前記選択肢表示欄が前記カスタマイズ画面に表示されるとともに、前記複数の設定候補のうち前記第１の設定操作により指定された前記表示対象候補のみが、前記被選択項目に関する選択肢として前記選択肢表示欄において表示されることを特徴とするプログラム。
【請求項７】
切替表示可能な複数の設定画面の中から選択された所望の設定画面内の表示項目に関するユーザ設定操作を行うことが可能な項目設定装置であって、
前記複数の設定画面の複数の設定項目の中からユーザにより選択された設定項目である被選択項目を配置することが可能なカスタマイズ画面を表示する表示制御手段と、
前記被選択項目の設定内容として設定可能な複数の設定候補のうち、前記被選択項目に関する選択肢の一覧を表示する選択肢表示欄に表示すべき設定候補である表示対象候補を指定する第１の設定操作を受け付ける入力制御手段と、
を備え、
前記表示制御手段は、前記第１の設定操作が受け付けられた後において、前記被選択項目の前記選択肢表示欄を前記カスタマイズ画面に表示するとともに、前記複数の設定候補のうち前記第１の設定操作により指定された前記表示対象候補のみを前記被選択項目に関する選択肢として前記選択肢表示欄において表示し、
前記入力制御手段は、組み合わせて設定することが禁止されている設定内容の組合せである禁則設定に前記被選択項目の設定内容と他の設定項目の設定内容との組合せが該当する際に前記被選択項目のデフォルト値を前記表示対象候補に追加すべき旨、を指示する第２の設定操作をも受け付け、
前記表示制御手段は、前記第１の設定操作と前記第２の設定操作とが受け付けられた後において、前記複数の設定候補のうち前記第１の設定操作により指定された前記表示対象候補に前記デフォルト値が含まれていない場合に前記被選択項目の設定内容と前記他の設定項目の設定内容との組合せが前記禁則設定に該当すると、前記デフォルト値を前記被選択項目に関する選択肢として前記表示対象候補に追加することを特徴とする項目設定装置。
【請求項８】
切替表示可能な複数の設定画面の中から選択された所望の設定画面内の表示項目に関するユーザ設定操作を行うことが可能な項目設定装置に内蔵されたコンピュータに、
ａ）前記複数の設定画面の複数の設定項目の中からユーザにより選択された設定項目である被選択項目の設定内容として設定可能な複数の設定候補のうち、前記被選択項目に関する選択肢の一覧を表示する選択肢表示欄に表示すべき設定候補である表示対象候補を指定する第１の設定操作を受け付けるステップと、
ｂ）組み合わせて設定することが禁止されている設定内容の組合せである禁則設定に前記被選択項目の設定内容と他の設定項目の設定内容との組合せが該当する際に前記被選択項目のデフォルト値を前記表示対象候補に追加すべき旨、を指示する第２の設定操作を受け付けるステップと、
ｃ）前記第１の設定操作と前記第２の設定操作とが受け付けられた後において、前記被選択項目を配置することが可能なカスタマイズ画面に前記被選択項目の前記選択肢表示欄を表示するとともに、前記複数の設定候補のうち前記第１の設定操作により指定された前記表示対象候補のみを前記被選択項目に関する選択肢として前記選択肢表示欄において表示するステップと、
ｄ）前記第１の設定操作と前記第２の設定操作とが受け付けられた後において、前記複数の設定候補のうち前記第１の設定操作により指定された前記表示対象候補に前記デフォルト値が含まれていない場合に前記被選択項目の設定内容と前記他の設定項目の設定内容との組合せが前記禁則設定に該当すると、前記デフォルト値を前記被選択項目に関する選択肢として前記表示対象候補に追加するステップと、
を実行させるためのプログラム。
【請求項９】
切替表示可能な複数の設定画面の中から選択された所望の設定画面内の表示項目に関するユーザ設定操作を行うことが可能な項目設定装置であって、
前記複数の設定画面の複数の設定項目の中からユーザにより選択された設定項目である被選択項目を配置することが可能なカスタマイズ画面を表示する表示制御手段と、
前記被選択項目と前記被選択項目に付随するサブ設定項目とで構成される２階層の設定項目の設定候補を非階層化して並べて表示すべき旨を指示する設定操作であって、前記被選択項目に関する選択肢の一覧を表示する選択肢表示欄において、前記２階層の設定項目のうちの上位階層の設定項目である前記被選択項目の設定候補と前記２階層の設定項目のうちの下位階層の設定項目である前記サブ設定項目の設定候補との組合せを前記被選択項目に関する選択肢として表示すべき旨、を指示する設定操作を受け付ける入力制御手段と、
を備え、
前記表示制御手段は、前記設定操作が受け付けられた後において、前記被選択項目の前記選択肢表示欄を前記カスタマイズ画面に表示するとともに、前記被選択項目の設定内容として設定可能な複数の設定候補と前記サブ設定項目の設定内容として設定可能な複数のサブ設定候補との組合せを、前記被選択項目に関する選択肢として前記選択肢表示欄において表示することを特徴とする項目設定装置。
【請求項１０】
切替表示可能な複数の設定画面の中から選択された所望の設定画面内の表示項目に関するユーザ設定操作を行うことが可能な項目設定装置に内蔵されたコンピュータに、
ａ）前記複数の設定画面の複数の設定項目の中からユーザにより選択された設定項目である被選択項目と前記被選択項目に付随するサブ設定項目とで構成される２階層の設定項目の設定候補を非階層化して並べて表示すべき旨を指示する設定操作であって、前記被選択項目に関する選択肢の一覧を表示する選択肢表示欄に、前記２階層の設定項目のうちの上位階層の設定項目である前記被選択項目の設定候補と前記２階層の設定項目のうちの下位階層の設定項目である前記サブ設定項目の設定候補との組合せを前記被選択項目に関する選択肢として表示すべき旨、を指示する設定操作を受け付けるステップと、
ｂ）前記設定操作が受け付けられた後において、前記被選択項目を配置することが可能なカスタマイズ画面に前記被選択項目の前記選択肢表示欄を表示するとともに、前記被選択項目の設定内容として設定可能な複数の設定候補と前記サブ設定項目の設定内容として設定可能な複数のサブ設定候補との組合せを、前記被選択項目に関する選択肢として前記選択肢表示欄において表示するステップと、
を実行させるためのプログラム。
【請求項１１】
切替表示可能な複数の設定画面の中から選択された所望の設定画面内の表示項目に関するユーザ設定操作を行うことが可能な項目設定装置であって、
前記複数の設定画面の複数の設定項目の中からユーザにより選択された設定項目である被選択項目を配置することが可能なカスタマイズ画面を表示する表示制御手段と、
前記被選択項目に関する選択肢の一覧を表示する選択肢表示欄の表示に、第１の種類のユーザインターフェース部品と第２の種類のユーザインターフェース部品とを含む複数の種類のユーザインターフェース部品のうちのいずれの種類のユーザインターフェース部品を用いるか、に関する設定操作を受け付ける入力制御手段と、
を備え、
前記第１の種類のユーザインターフェース部品は、前記選択肢表示欄を表示すべき旨を指示するための指示ボタンを有し且つ前記指示ボタンの押下操作に応答して前記選択肢表示欄を表示する種類のユーザインターフェース部品であり、
前記第２の種類のユーザインターフェース部品は、前記第１の種類のユーザインターフェース部品とは異なる種類のユーザインターフェース部品であって、前記指示ボタンを有さず且つ前記カスタマイズ画面自体において前記選択肢表示欄を常に表示する種類のユーザインターフェース部品であり、
前記表示制御手段は、前記設定操作が受け付けられた後において、前記複数の種類のユーザインターフェース部品のうち前記設定操作に基づき決定された種類のユーザインターフェース部品を用いて前記選択肢表示欄を前記カスタマイズ画面に表示することを特徴とする項目設定装置。
【請求項１２】
請求項１１に記載の項目設定装置において、
前記設定操作は、前記複数の種類のユーザインターフェース部品のうち前記選択肢表示欄の表示に用いる種類のユーザインターフェース部品を指定する操作であり、
前記表示制御手段は、前記設定操作が受け付けられた後において、前記複数の種類のユーザインターフェース部品のうち前記設定操作により指定された種類のユーザインターフェース部品を用いて前記選択肢表示欄を前記カスタマイズ画面に表示することを特徴とする項目設定装置。
【請求項１３】
請求項１１に記載の項目設定装置において、
前記設定操作は、前記複数の種類のユーザインターフェース部品のうち、前記被選択項目の設定候補の個数と所定個数との大小関係の判定結果に応じて決定された種類のユーザインターフェース部品を用いて前記選択肢表示欄を表示すべき旨を指示する操作であり、
前記表示制御手段は、
前記被選択項目の設定候補の個数が前記所定個数よりも多い旨が判定される場合には、前記設定操作が受け付けられた後において、前記第１の種類のユーザインターフェース部品を用いて前記選択肢表示欄を前記カスタマイズ画面に表示し、
前記被選択項目の設定候補の個数が前記所定個数よりも少ない旨が判定される場合には、前記設定操作が受け付けられた後において、前記第２の種類のユーザインターフェース部品を用いて前記選択肢表示欄を前記カスタマイズ画面に表示することを特徴とする項目設定装置。
【請求項１４】
切替表示可能な複数の設定画面の中から選択された所望の設定画面内の表示項目に関するユーザ設定操作を行うことが可能な項目設定装置に内蔵されたコンピュータに、
ａ）前記複数の設定画面の複数の設定項目の中からユーザにより選択された設定項目である被選択項目に関する選択肢の一覧を表示する選択肢表示欄の表示に、第１の種類のユーザインターフェース部品と第２の種類のユーザインターフェース部品とを含む複数の種類のユーザインターフェース部品のうちのいずれの種類のユーザインターフェース部品を用いるか、に関する設定操作を受け付けるステップと、
ｂ）前記被選択項目を配置することが可能なカスタマイズ画面を表示するステップと、
を実行させるためのプログラムであって、
前記第１の種類のユーザインターフェース部品は、前記選択肢表示欄を表示すべき旨を指示するための指示ボタンを有し且つ前記指示ボタンの押下操作に応答して前記選択肢表示欄を表示する種類のユーザインターフェース部品であり、
前記第２の種類のユーザインターフェース部品は、前記第１の種類のユーザインターフェース部品とは異なる種類のユーザインターフェース部
品であって、前記指示ボタンを有さず且つ前記カスタマイズ画面自体において前記選択肢表示欄を常に表示する種類のユーザインターフェース部品であり、
前記ステップｂ）においては、前記設定操作が受け付けられた後において、前記複数の種類のユーザインターフェース部品のうち前記設定操作に基づき決定された種類のユーザインターフェース部品を用いて前記選択肢表示欄が前記カスタマイズ画面に表示されることを特徴とするプログラム。
【発明の詳細な説明】
【技術分野】
【０００１】
本発明は、複数の設定項目を設定する項目設定装置およびそれに関連する技術に関する。
【背景技術】
【０００２】
複数の設定項目を設定する技術が存在する。たとえば、印刷システムにおいて、パーソナルコンピュータ上で動作するプリンタドライバを用いて、印刷出力に関する複数の設定項目をユーザが設定することがある。ユーザによる設定内容（指定内容）に従って当該プリンタドライバが印刷ジョブを生成しプリンタに送信すると、当該プリンタは、受信した印刷ジョブにて指定された設定内容に従って、印刷出力を実行する。
【０００３】
近年、プリンタの多機能化等に伴って設定項目の数は増大している。ユーザが所望の設定項目を見出し易くするため、複数の設定項目は、所定の基準に従って分類され複数のタブ画面に分けて表示される。なお、これらのタブ画面は、それぞれ、所定の基準に従って分類された所定の項目（固定項目）を有することから、「固定タブ」画面とも称される。
【０００４】
さらに、ユーザごとのカスタマイズを許容してユーザの操作性を向上させる技術として、特許文献１に記載の技術が存在する。
【０００５】
特許文献１においては、複数のタブ画面内の複数の設定項目の中から、ユーザが１又は複数の所望の設定項目を選択し、選択された設定項目を１つの設定画面に集約して配置する技術が記載されている。選択された１又は複数の設定項目を集約した１つの設定画面は、「集約画面」あるいは「編集可能画面」なども表現される。また、当該設定画面は、ユーザによる所望の設定項目（自分用の設定項目）が配置されるタブ画面であることから、「Ｍｙタブ」画面などとも表現される。
【先行技術文献】
【特許文献】
【０００６】
【特許文献１】特開２０１０−１６５３００号公報
【発明の概要】
【発明が解決しようとする課題】
【０００７】
ここにおいて、特許文献１の「Ｍｙタブ」画面においては、「Ｍｙタブ」画面内に配置された設定項目の複数の設定候補が、プリンタドライバにおいて予め設定された表示方法（デフォルトの表示方法）で表示される。そして、ユーザは、デフォルトの表示方法で表示された複数の設定候補の中から所望の設定候補を設定項目の設定内容として選択する。
【０００８】
しかしながら、「Ｍｙタブ」画面内に配置された設定項目の設定候補がデフォルトの表示方法で表示される場合、所望の設定候補を設定項目の設定内容として選択する際のユーザの操作性が必ずしも十分ではないことがある。
【０００９】
たとえば、「Ｍｙタブ」画面内に配置された或る設定項目の設定内容として多数の設定候補（たとえば１０個以上の設定候補）が設定可能である場合、デフォルトの表示方法においては、当該多数の設定候補が当該或る設定項目に関する選択肢の一覧（選択肢表示欄）においてそのまま表示される。そのため、ユーザは、当該選択肢表示欄内の多数の設定候補の中から所望の設定候補を見つけ出すことが求められ、（少数の設定候補（たとえば２個以下の設定候補）の中から所望の設定候補を選択する際に要する時間よりも）所望の設定候補の選択に比較的長い時間を要するなどの問題が存在する。
【００１０】
具体的には、設定項目「原稿サイズ」においては、設定項目「原稿サイズ」の設定内容として多数の設定候補が設定可能である。当該多数の設定候補の中からたとえば設定候補「はがき」を設定内容として指定（選択）する場合、ユーザは、「Ｍｙタブ」画面において、設定項目「原稿サイズ」の選択肢表示欄に表示されている多数の設定候補の中から当該設定候補「はがき」を見つけ出すことが求められる。そのため、（比較的少数の設定候補の中から設定候補「はがき」を選択する際に要する時間よりも）設定候補「はがき」を設定項目「原稿サイズ」の設定内容として選択するために比較的長い時間を要する。
【００１１】
このように、「Ｍｙタブ」画面に配置された設定項目に多数の設定候補が存在する場合、ユーザは所望の設定候補の選択に比較的長い時間を要し、所望の設定候補を設定項目の設定内容として選択する際のユーザの操作性が必ずしも十分ではないことがある。
【００１２】
また、このような場合に限らず、「Ｍｙタブ」画面内に配置された設定項目の設定候補がデフォルトの表示方法で表示される際には、様々な状況において、所望の設定候補を設定項目の設定内容として選択する際のユーザの操作性が必ずしも十分ではないことがある。
【００１３】
そこで、この発明は、所望の設定候補を設定項目の設定内容として選択する際のユーザの操作性を向上させることが可能な技術を提供することを課題とする。
【課題を解決するための手段】
【００１４】
上記課題を解決すべく、請求項１の発明は、切替表示可能な複数の設定画面の中から選択された所望の設定画面内の表示項目に関するユーザ設定操作を行うことが可能な項目設定装置であって、前記複数の設定画面の複数の設定項目の中からユーザにより選択された設定項目である被選択項目を配置することが可能なカスタマイズ画面を表示する表示制御手段と、前記被選択項目の設定内容として設定可能な複数の設定候補のうち、前記被選択項目に関する選択肢の一覧を表示する選択肢表示欄に表示すべき設定候補である表示対象候補を指定する第１の設定操作を受け付ける入力制御手段と、を備え、前記表示制御手段は、前記第１の設定操作が受け付けられた後において、前記被選択項目の前記選択肢表示欄を前記カスタマイズ画面に表示するとともに、前記複数の設定候補のうち前記第１の設定操作により指定された前記表示対象候補のみを前記被選択項目に関する選択肢として前記選択肢表示欄において表示し、前記被選択項目は、前記被選択項目と前記被選択項目に付随するサブ設定項目とで構成される２階層の設定項目のうちの上位階層の設定項目であり、前記サブ設定項目は、前記２階層の設定項目のうちの下位階層の設定項目であり、前記入力制御手段は、前記２階層の設定項目の設定候補を非階層化して並べて表示すべき旨を指示する第２の設定操作であって、前記被選択項目の設定候補と前記サブ設定項目の設定候補との組合せを前記被選択項目に関する選択肢として前記選択肢表示欄に表示すべき旨、を指示する第２の設定操作をも受け付け、前記第１の設定操作は、前記第２の設定操作が受け付けられた後において、前記被選択項目における前記複数の設定候補と前記サブ設定項目の設定内容として設定可能な複数のサブ設定候補との複数の組合せのうち前記被選択項目に関する選択肢として前記選択肢表示欄に表示すべき組合せを指定する操作であり、前記表示制御手段は、前記第１の設定操作と前記第２の設定操作とが受け付けられた後において、前記被選択項目の前記選択肢表示欄を前記カスタマイズ画面に表示するとともに、前記複数の組合せのうち前記第１の設定操作により指定された組合せのみを前記被選択項目に関する選択肢として前記選択肢表示欄において表示することを特徴とする。
【００１７】
請求項２の発明は、切替表示可能な複数の設定画面の中から選択された所望の設定画面内の表示項目に関するユーザ設定操作を行うことが可能な項目設定装置に内蔵されたコンピュータに、ａ）前記複数の設定画面の複数の設定項目の中からユーザにより選択された設定項目である被選択項目の設定内容として設定可能な複数の設定候補のうち、前記被選択項目に関する選択肢の一覧を表示する選択肢表示欄に表示すべき設定候補である表示対象候補を指定する第１の設定操作を受け付けるステップと、ｂ）前記第１の設定操作が受け付けられた後において、前記被選択項目を配置することが可能なカスタマイズ画面に前記被選択項目の前記選択肢表示欄を表示するとともに、前記複数の設定候補のうち前記第１の設定操作により指定された前記表示対象候補のみを前記被選択項目に関する選択肢として前記選択肢表示欄において表示するステップと、を実行させるためのプログラムであって、前記被選択項目は、前記被選択項目と前記被選択項目に付随するサブ設定項目とで構成される２階層の設定項目のうちの上位階層の設定項目であり、前記サブ設定項目は、前記２階層の設定項目のうちの下位階層の設定項目であり、前記プログラムは、ｃ）前記２階層の設定項目の設定候補を非階層化して並べて表示すべき旨を指示する第２の設定操作であって、前記被選択項目の設定候補と前記サブ設定項目の設定候補との組合せを前記被選択項目に関する選択肢として前記選択肢表示欄に表示すべき旨、を指示する第２の設定操作を受け付けるステップ、を前記コンピュータにさらに実行させ、前記第１の設定操作は、前記第２の設定操作が受け付けられた後において、前記被選択項目における前記複数の設定候補と前記サブ設定項目の設定内容として設定可能な複数のサブ設定候補との複数の組合せのうち前記被選択項目に関する選択肢として前記選択肢表示欄に表示すべき組合せを指定する操作であり、前記ステップｂ）においては、前記第１の設定操作と前記第２の設定操作とが受け付けられた後において、前記被選択項目の前記選択肢表示欄が前記カスタマイズ画面に表示されるとともに、前記複数の組合せのうち前記第１の設定操作により指定された組合せのみが、前記被選択項目に関する選択肢として前記選択肢表示欄において表示されることを特徴とする。
請求項３の発明は、切替表示可能な複数の設定画面の中から選択された所望の設定画面内の表示項目に関するユーザ設定操作を行うことが可能な項目設定装置であって、前記複数の設定画面の複数の設定項目の中からユーザにより選択された設定項目である被選択項目を配置することが可能なカスタマイズ画面を表示する表示制御手段と、前記被選択項目の設定内容として設定可能な複数の設定候補のうち、前記被選択項目に関する選択肢の一覧を表示する選択肢表示欄に表示すべき設定候補である表示対象候補を指定する第１の設定操作を受け付ける入力制御手段と、を備え、前記表示制御手段は、前記第１の設定操作が受け付けられた後において、前記被選択項目の前記選択肢表示欄を前記カスタマイズ画面に表示するとともに、前記複数の設定候補のうち前記第１の設定操作により指定された前記表示対象候補のみを前記被選択項目に関する選択肢として前記選択肢表示欄において表示し、前記入力制御手段は、第１の種類のユーザインターフェース部品と第２の種類のユーザインターフェース部品とを含む複数の種類のユーザインターフェース部品のうちのいずれの種類のユーザインターフェース部品を前記選択肢表示欄の表示に用いるか、に関する第２の設定操作をも受け付け、前記第１の種類のユーザインターフェース部品は、前記選択肢表示欄を表示すべき旨を指示するための指示ボタンを有し且つ前記指示ボタンの押下操作に応答して前記選択肢表示欄を表示する種類のユーザインターフェース部品であり、前記第２の種類のユーザインターフェース部品は、前記第１の種類のユーザインターフェース部品とは異なる種類のユーザインターフェース部品であって、前記指示ボタンを有さず且つ前記カスタマイズ画面自体において前記選択肢表示欄を常に表示する種類のユーザインターフェース部品であり、前記表示制御手段は、前記第１の設定操作と前記第２の設定操作とが受け付けられた後において、前記複数の種類のユーザインターフェース部品のうち前記第２の設定操作に基づき決定された種類のユーザインターフェース部品を用いて前記選択肢表示欄を前記カスタマイズ画面に表示するとともに、前記複数の設定候補のうち前記第１の設定操作により指定された前記表示対象候補のみを前記被選択項目に関する選択肢として前記選択肢表示欄において表示することを特徴とする。
【００１８】
請求項４の発明は、請求項３の発明に係る項目設定装置において、前記第２の設定操作は、前記複数の種類のユーザインターフェース部品のうち前記選択肢表示欄の表示に用いる種類のユーザインターフェース部品を指定する操作であり、前記表示制御手段は、前記第１の設定操作と前記第２の設定操作とが受け付けられた後において、前記複数の種類のユーザインターフェース部品のうち前記第２の設定操作により指定された種類のユーザインターフェース部品を用いて前記選択肢表示欄を前記カスタマイズ画面に表示するとともに、前記複数の設定候補のうち前記第１の設定操作により指定された前記表示対象候補のみを前記被選択項目に関する選択肢として前記選択肢表示欄において表示することを特徴とする。
【００１９】
請求項５の発明は、請求項３の発明に係る項目設定装置において、前記第２の設定操作は、前記複数の種類のユーザインターフェース部品のうち、前記表示対象候補の個数と所定個数との大小関係の判定結果に応じて決定された種類のユーザインターフェース部品を用いて前記選択肢表示欄を表示すべき旨を指示する操作であり、前記表示制御手段は、前記第１の設定操作と前記第２の設定操作とが受け付けられた後において、前記第１の設定操作により指定された前記表示対象候補の個数と前記所定個数との大小関係を判定し、前記第１の設定操作により指定された前記表示対象候補の個数が前記所定個数よりも多い旨が判定される場合には、前記第１の種類のユーザインターフェース部品を用いて前記選択肢表示欄を前記カスタマイズ画面に表示するとともに、前記複数の設定候補のうち前記第１の設定操作により指定された前記表示対象候補のみを前記被選択項目に関する選択肢として前記選択肢表示欄において表示し、前記第１の設定操作により指定された前記表示対象候補の個数が前記所定個数よりも少ない旨が判定される場合には、前記第２の種類のユーザインターフェース部品を用いて前記選択肢表示欄を前記カスタマイズ画面に表示するとともに、前記複数の設定候補のうち前記第１の設定操作により指定された前記表示対象候補のみを前記被選択項目に関する選択肢として前記選択肢表示欄において表示することを特徴とする。
請求項６の発明は、切替表示可能な複数の設定画面の中から選択された所望の設定画面内の表示項目に関するユーザ設定操作を行うことが可能な項目設定装置に内蔵されたコンピュータに、ａ）前記複数の設定画面の複数の設定項目の中からユーザにより選択された設定項目である被選択項目の設定内容として設定可能な複数の設定候補のうち、前記被選択項目に関する選択肢の一覧を表示する選択肢表示欄に表示すべき設定候補である表示対象候補を指定する第１の設定操作を受け付けるステップと、ｂ）第１の種類のユーザインターフェース部品と第２の種類のユーザインターフェース部品とを含む複数の種類のユーザインターフェース部品のうちのいずれの種類のユーザインターフェース部品を前記選択肢表示欄の表示に用いるか、に関する第２の設定操作を受け付けるステップと、ｃ）前記第１の設定操作と前記第２の設定操作とが受け付けられた後において、前記被選択項目を配置することが可能なカスタマイズ画面に前記被選択項目の前記選択肢表示欄を表示するとともに、前記複数の設定候補のうち前記第１の設定操作により指定された前記表示対象候補のみを前記被選択項目に関する選択肢として前記選択肢表示欄において表示するステップと、を実行させるためのプログラムであって、前記第１の種類のユーザインターフェース部品は、前記選択肢表示欄を表示すべき旨を指示するための指示ボタンを有し且つ前記指示ボタンの押下操作に応答して前記選択肢表示欄を表示する種類のユーザインターフェース部品であり、前記第２の種類のユーザインターフェース部品は、前記第１の種類のユーザインターフェース部品とは異なる種類のユーザインターフェース部品であって、前記指示ボタンを有さず且つ前記カスタマイズ画面自体において前記選択肢表示欄を常に表示する種類のユーザインターフェース部品であり、前記ステップｃ）においては、前記第１の設定操作と前記第２の設定操作とが受け付けられた後において、前記複数の種類のユーザインターフェース部品のうち前記第２の設定操作に基づき決定された種類のユーザインターフェース部品を用いて前記選択肢表示欄が前記カスタマイズ画面に表示されるとともに、前記複数の設定候補のうち前記第１の設定操作により指定された前記表示対象候補のみが、前記被選択項目に関する選択肢として前記選択肢表示欄において表示されることを特徴とする。
【００２０】
請求項７の発明は、切替表示可能な複数の設定画面の中から選択された所望の設定画面内の表示項目に関するユーザ設定操作を行うことが可能な項目設定装置であって、前記複数の設定画面の複数の設定項目の中からユーザにより選択された設定項目である被選択項目を配置することが可能なカスタマイズ画面を表示する表示制御手段と、前記被選択項目の設定内容として設定可能な複数の設定候補のうち、前記被選択項目に関する選択肢の一覧を表示する選択肢表示欄に表示すべき設定候補である表示対象候補を指定する第１の設定操作を受け付ける入力制御手段と、を備え、前記表示制御手段は、前記第１の設定操作が受け付けられた後において、前記被選択項目の前記選択肢表示欄を前記カスタマイズ画面に表示するとともに、前記複数の設定候補のうち前記第１の設定操作により指定された前記表示対象候補のみを前記被選択項目に関する選択肢として前記選択肢表示欄において表示し、前記入力制御手段は、組み合わせて設定することが禁止されている設定内容の組合せである禁則設定に前記被選択項目の設定内容と他の設定項目の設定内容との組合せが該当する際に前記被選択項目のデフォルト値を前記表示対象候補に追加すべき旨、を指示する第２の設定操作をも受け付け、前記表示制御手段は、前記第１の設定操作と前記第２の設定操作とが受け付けられた後において、前記複数の設定候補のうち前記第１の設定操作により指定された前記表示対象候補に前記デフォルト値が含まれていない場合に前記被選択項目の設定内容と前記他の設定項目の設定内容との組合せが前記禁則設定に該当すると、前記デフォルト値を前記被選択項目に関する選択肢として前記表示対象候補に追加することを特徴とする。
請求項８の発明は、切替表示可能な複数の設定画面の中から選択された所望の設定画面内の表示項目に関するユーザ設定操作を行うことが可能な項目設定装置に内蔵されたコンピュータに、ａ）前記複数の設定画面の複数の設定項目の中からユーザにより選択された設定項目である被選択項目の設定内容として設定可能な複数の設定候補のうち、前記被選択項目に関する選択肢の一覧を表示する選択肢表示欄に表示すべき設定候補である表示対象候補を指定する第１の設定操作を受け付けるステップと、ｂ）組み合わせて設定することが禁止されている設定内容の組合せである禁則設定に前記被選択項目の設定内容と他の設定項目の設定内容との組合せが該当する際に前記被選択項目のデフォルト値を前記表示対象候補に追加すべき旨、を指示する第２の設定操作を受け付けるステップと、ｃ）前記第１の設定操作と前記第２の設定操作とが受け付けられた後において、前記被選択項目を配置することが可能なカスタマイズ画面に前記被選択項目の前記選択肢表示欄を表示するとともに、前記複数の設定候補のうち前記第１の設定操作により指定された前記表示対象候補のみを前記被選択項目に関する選択肢として前記選択肢表示欄において表示するステップと、ｄ）前記第１の設定操作と前記第２の設定操作とが受け付けられた後において、前記複数の設定候補のうち前記第１の設定操作により指定された前記表示対象候補に前記デフォルト値が含まれていない場合に前記被選択項目の設定内容と前記他の設定項目の設定内容との組合せが前記禁則設定に該当すると、前記デフォルト値を前記被選択項目に関する選択肢として前記表示対象候補に追加するステップと、を実行させるためのプログラムであることを特徴とする。
【００２４】
請求項９の発明は、切替表示可能な複数の設定画面の中から選択された所望の設定画面内の表示項目に関するユーザ設定操作を行うことが可能な項目設定装置であって、前記複数の設定画面の複数の設定項目の中からユーザにより選択された設定項目である被選択項目を配置することが可能なカスタマイズ画面を表示する表示制御手段と、前記被選択項目と前記被選択項目に付随するサブ設定項目とで構成される２階層の設定項目の設定候補を非階層化して並べて表示すべき旨を指示する設定操作であって、前記被選択項目に関する選択肢の一覧を表示する選択肢表示欄において、前記２階層の設定項目のうちの上位階層の設定項目である前記被選択項目の設定候補と前記２階層の設定項目のうちの下位階層の設定項目である前記サブ設定項目の設定候補との組合せを前記被選択項目に関する選択肢として表示すべき旨、を指示する設定操作を受け付ける入力制御手段と、を備え、前記表示制御手段は、前記設定操作が受け付けられた後において、前記被選択項目の前記選択肢表示欄を前記カスタマイズ画面に表示するとともに、前記被選択項目の設定内容として設定可能な複数の設定候補と前記サブ設定項目の設定内容として設定可能な複数のサブ設定候補との組合せを、前記被選択項目に関する選択肢として前記選択肢表示欄において表示することを特徴とする。
【００２５】
請求項１０の発明は、切替表示可能な複数の設定画面の中から選択された所望の設定画面内の表示項目に関するユーザ設定操作を行うことが可能な項目設定装置に内蔵されたコンピュータに、ａ）前記複数の設定画面の複数の設定項目の中からユーザにより選択された設定項目である被選択項目と前記被選択項目に付随するサブ設定項目とで構成される２階層の設定項目の設定候補を非階層化して並べて表示すべき旨を指示する設定操作であって、前記被選択項目に関する選択肢の一覧を表示する選択肢表示欄に、前記２階層の設定項目のうちの上位階層の設定項目である前記被選択項目の設定候補と前記２階層の設定項目のうちの下位階層の設定項目である前記サブ設定項目の設定候補との組合せを前記被選択項目に関する選択肢として表示すべき旨、を指示する設定操作を受け付けるステップと、ｂ）前記設定操作が受け付けられた後において、前記被選択項目を配置することが可能なカスタマイズ画面に前記被選択項目の前記選択肢表示欄を表示するとともに、前記被選択項目の設定内容として設定可能な複数の設定候補と前記サブ設定項目の設定内容として設定可能な複数のサブ設定候補との組合せを、前記被選択項目に関する選択肢として前記選択肢表示欄において表示するステップと、を実行させるためのプログラムであることを特徴とする。
【００２６】
請求項１１の発明は、切替表示可能な複数の設定画面の中から選択された所望の設定画面内の表示項目に関するユーザ設定操作を行うことが可能な項目設定装置であって、前記複数の設定画面の複数の設定項目の中からユーザにより選択された設定項目である被選択項目を配置することが可能なカスタマイズ画面を表示する表示制御手段と、前記被選択項目に関する選択肢の一覧を表示する選択肢表示欄の表示に、第１の種類のユーザインターフェース部品と第２の種類のユーザインターフェース部品とを含む複数の種類のユーザインターフェース部品のうちのいずれの種類のユーザインターフェース部品を用いるか、に関する設定操作を受け付ける入力制御手段と、を備え、前記第１の種類のユーザインターフェース部品は、前記選択肢表示欄を表示すべき旨を指示するための指示ボタンを有し且つ前記指示ボタンの押下操作に応答して前記選択肢表示欄を表示する種類のユーザインターフェース部品であり、前記第２の種類のユーザインターフェース部品は、前記第１の種類のユーザインターフェース部品とは異なる種類のユーザインターフェース部品であって、前記指示ボタンを有さず且つ前記カスタマイズ画面自体において前記選択肢表示欄を常に表示する種類のユーザインターフェース部品であり、前記表示制御手段は、前記設定操作が受け付けられた後において、前記複数の種類のユーザインターフェース部品のうち前記設定操作に基づき決定された種類のユーザインターフェース部品を用いて前記選択肢表示欄を前記カスタマイズ画面に表示することを特徴とする。
【００２７】
請求項１２の発明は、請求項１１の発明に係る項目設定装置において、前記設定操作は、前記複数の種類のユーザインターフェース部品のうち前記選択肢表示欄の表示に用いる種類のユーザインターフェース部品を指定する操作であり、前記表示制御手段は、前記設定操作が受け付けられた後において、前記複数の種類のユーザインターフェース部品のうち前記設定操作により指定された種類のユーザインターフェース部品を用いて前記選択肢表示欄を前記カスタマイズ画面に表示することを特徴とする。
【００２８】
請求項１３の発明は、請求項１１の発明に係る項目設定装置において、前記設定操作は、前記複数の種類のユーザインターフェース部品のうち、前記被選択項目の設定候補の個数と所定個数との大小関係の判定結果に応じて決定された種類のユーザインターフェース部品を用いて前記選択肢表示欄を表示すべき旨を指示する操作であり、前記表示制御手段は、前記被選択項目の設定候補の個数が前記所定個数よりも多い旨が判定される場合には、前記設定操作が受け付けられた後において、前記第１の種類のユーザインターフェース部品を用いて前記選択肢表示欄を前記カスタマイズ画面に表示し、前記被選択項目の設定候補の個数が前記所定個数よりも少ない旨が判定される場合には、前記設定操作が受け付けられた後において、前記第２の種類のユーザインターフェース部品を用いて前記選択肢表示欄を前記カスタマイズ画面に表示することを特徴とする。
【００２９】
請求項１４の発明は、切替表示可能な複数の設定画面の中から選択された所望の設定画面内の表示項目に関するユーザ設定操作を行うことが可能な項目設定装置に内蔵されたコンピュータに、ａ）前記複数の設定画面の複数の設定項目の中からユーザにより選択された設定項目である被選択項目に関する選択肢の一覧を表示する選択肢表示欄の表示に、第１の種類のユーザインターフェース部品と第２の種類のユーザインターフェース部品とを含む複数の種類のユーザインターフェース部品のうちのいずれの種類のユーザインターフェース部品を用いるか、に関する設定操作を受け付けるステップと、ｂ）前記被選択項目を配置することが可能なカスタマイズ画面を表示するステップと、を実行させるためのプログラムであって、前記第１の種類のユーザインターフェース部品は、前記選択肢表示欄を表示すべき旨を指示するための指示ボタンを有し且つ前記指示ボタンの押下操作に応答して前記選択肢表示欄を表示する種類のユーザインターフェース部品であり、前記第２の種類のユーザインターフェース部品は、前記第１の種類のユーザインターフェース部品とは異なる種類のユーザインターフェース部品であって、前記指示ボタンを有さず且つ前記カスタマイズ画面自体において前記選択肢表示欄を常に表示する種類のユーザインターフェース部品であり、前記ステップｂ）においては、前記設定操作が受け付けられた後において、前記複数の種類のユーザインターフェース部品のうち前記設定操作に基づき決定された種類のユーザインターフェース部品を用いて前記選択肢表示欄が前記カスタマイズ画面に表示されることを特徴とする。
【発明の効果】
【００３０】
請求項１ないし請求項１４に記載の発明によれば、所望の設定候補を設定項目の設定内容として選択する際のユーザの操作性を向上させることが可能である。
【００３１】
特に、請求項１ないし請求項８に記載の発明によれば、被選択項目の設定内容として設定可能な複数の設定候補のうち第１の設定操作により指定された設定候補のみが、被選択項目に関する選択肢としてカスタマイズ画面内の被選択項目の選択肢表示欄において表示される。そのため、当該選択肢表示欄に表示される被選択項目の設定候補（表示対象候補）の個数を減らすことができるので、ユーザは、所望の設定候補を容易に見つけ出すことができる。したがって、所望の設定候補の選択に要する時間を短縮することができるので、、所望の設定候補を設定項目（被選択項目）の設定内容として選択する際のユーザの操作性を向上させることが可能である。
【００３３】
また、特に、請求項９および請求項１０に記載の発明によれば、被選択項目における複数の設定候補とサブ設定項目における複数のサブ設定候補との組合せが被選択項目に関する選択肢として非階層化して並べて被選択項目の選択肢表示欄に表示される。そのため、ユーザは、２階層の設定項目に関する設定をカスタマイズ画面（のみ）で行うことができる。したがって、所望の設定候補を設定項目（被選択項目）の設定内容として選択する際のユーザの操作性を向上させることが可能である。
【００３４】
また、特に、請求項１１ないし請求項１４に記載の発明によれば、設定操作に基づき決定された種類のユーザインターフェース部品を用いて被選択項目の選択肢表示欄がカスタマイズ画面に表示される。したがって、ユーザの操作性および設定画面の画面構成を考慮した上で当該選択肢表示欄の表示に適した種類のユーザインターフェース部品を用いて当該選択肢表示欄をカスタマイズ画面に表示することが可能である。
【図面の簡単な説明】
【００３５】
【図１】プリントシステムの構成を示す概略図である。
【図２】画像形成装置（ＭＦＰ）の機能ブロック図である。
【図３】項目設定装置（コンピュータ）の機能ブロック図である。
【図４】カスタマイズ画面（「Ｍｙタブ」画面）を示す図である。
【図５】項目登録画面（「Ｍｙタブ」編集画面）を示す図である。
【図６】「Ｍｙタブ」画面を示す図である。
【図７】「Ｍｙタブ」画面を示す図である。
【図８】「Ｍｙタブ」編集画面を示す図である。
【図９】「Ｍｙタブ」編集画面を示す図である。
【図１０】候補指定操作後の「Ｍｙタブ」画面を示す図である。
【図１１】第２実施形態に係る「Ｍｙタブ」編集画面を示す図である。
【図１２】第２実施形態に係る「Ｍｙタブ」編集画面を示す図である。
【図１３】第２実施形態に係る「Ｍｙタブ」編集画面を示す図である。
【図１４】第２実施形態に係る順序指定操作後の「Ｍｙタブ」画面を示す図である。
【図１５】詳細設定画面を示す図である。
【図１６】第３実施形態に係る「Ｍｙタブ」編集画面を示す図である。
【図１７】第３実施形態に係る「Ｍｙタブ」編集画面を示す図である。
【図１８】第３実施形態に係る「Ｍｙタブ」編集画面を示す図である。
【図１９】第３実施形態に係る階層分解指示操作後の「Ｍｙタブ」画面を示す図である。
【図２０】第４実施形態に係る「Ｍｙタブ」編集画面を示す図である。
【図２１】第４実施形態に係る設定操作後の「Ｍｙタブ」画面を示す図である。
【図２２】第５実施形態に係る「Ｍｙタブ」編集画面を示す図である。
【図２３】第６実施形態に係る「Ｍｙタブ」編集画面を示す図である。
【図２４】表示条件設定画面を示す図である。
【図２５】第７実施形態に係る「Ｍｙタブ」画面を示す図である。
【図２６】エラーメッセージ画面を示す図である。
【図２７】第７実施形態に係る「Ｍｙタブ」画面を示す図である。
【図２８】第７実施形態に係る「Ｍｙタブ」画面を示す図である。
【図２９】第７実施形態に係る「Ｍｙタブ」編集画面を示す図である。
【発明を実施するための形態】
【００３６】
以下、本発明の実施形態を図面に基づいて説明する。
【００３７】
＜１．第１実施形態＞
＜１−１．構成概要＞
図１は、本発明に係るプリントシステム１を示す概略図である。図１に示すように、プリントシステム１は、画像形成装置１０とコンピュータ９０とを備える。
【００３８】
画像形成装置１０とコンピュータ９０とは、ネットワーク（通信ネットワーク）１０８を介して互いに接続される。ネットワーク１０８は、ＬＡＮ（Local Area Network）およびインターネットなどによって構成される。また、ネットワーク１０８に対する接続態様は、有線接続であってもよく、或いは無線接続であってもよい。たとえば、画像形成装置１０はネットワーク１０８に対して有線接続され、コンピュータ９０はネットワーク１０８に対して無線接続される。
【００３９】
画像形成装置１０は、コンピュータ９０からのプリントジョブ（印刷ジョブ）を実行するプリンタとして機能する。具体的には、コンピュータ９０は、当該コンピュータ９０にインストールされているプリンタドライバ（ソフトウエアプログラム）等を介して、画像形成装置１０に対してプリントジョブを送信する。一方、画像形成装置１０は、コンピュータ９０から送信されてきたプリントジョブを受信し、当該プリントジョブを実行する。これによって、画像形成装置１０による印刷出力処理が実行される。
【００４０】
＜１−２．画像形成装置の構成＞
図２は画像形成装置１０の機能ブロックを示す図である。ここでは、画像形成装置１０として、ＭＦＰ（マルチ・ファンクション・ペリフェラル（Multi-Functional Peripheral））を例示する。
【００４１】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９等を備えており、これらの各部を複合的に動作させることによって、各種の機能を実現する。
【００４２】
画像読取部（スキャン部とも称される）２は、ＭＦＰ１０の所定の位置に載置された原稿を光学的に読み取って（すなわちスキャンして）、当該原稿の画像データ（原稿画像ないしスキャン画像とも称する）を生成する処理部である。
【００４３】
印刷出力部３は、印刷対象に関するデータに基づいて紙などの各種の媒体に画像を印刷出力する出力部である。
【００４４】
通信部４は、公衆回線等を介したファクシミリ通信を行うことが可能な処理部である。さらに、通信部４は、ネットワークを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先との間で各種のデータを授受することが可能である。通信部４は、各種データを送信する送信部４ａと各種データを受信する受信部４ｂとを有する。
【００４５】
格納部５は、ハードディスクドライブ（ＨＤＤ）等の格納装置で構成される。この格納部５には、画像読取部２等で生成された原稿画像（画像データ）が格納される。また、格納部５においては、コンピュータ９０から送信されてきたプリントジョブが一時的に格納される。
【００４６】
操作部６は、ＭＦＰ１０に対する操作入力を受け付ける操作入力部６ａと、各種情報の表示出力を行う表示部６ｂとを備えている。
【００４７】
このＭＦＰ１０においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに圧電センサ等が埋め込まれて構成され、各種情報を表示するとともに操作者による操作入力（ボタンの押下操作等）を受け付けることが可能である。また、表示部６ｂは、タッチパネル２５に表示される表示画面を選択的に切り換えて表示する。
【００４８】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体、あるいはネットワーク等を介してＭＦＰ１０にインストールされてもよい。
【００４９】
具体的には、図２に示すように、コントローラ９は、当該プログラムの実行により、通信制御部１１とプリントジョブ受付部１２と印刷制御部１３とを含む各種の処理部を実現する。
【００５０】
通信制御部１１は、通信部４と協働して通信動作を制御する。
【００５１】
プリントジョブ受付部１２は、コンピュータ９０から送信されてきたプリントジョブを通信部４および通信制御部１１と協働して受信する。
【００５２】
印刷制御部１３は、印刷出力部３の動作等を制御する。
【００５３】
＜１−３．コンピュータの構成＞
次にコンピュータ９０の構成について説明する。
【００５４】
コンピュータ９０は、いわゆるパーソナルコンピュータとして構成される。
【００５５】
図３は、コンピュータ９０の機能的構成を示すブロック図である。
【００５６】
コンピュータ９０は、入出力部９６を備えている。入出力部９６は、コンピュータ９０に対する操作入力を受け付ける操作入力部９６ａと、各種情報の表示出力を行う表示部９６ｂとを有している。たとえば、操作入力部９６ａとしてはキーボードおよびマウス等が設けられ、表示部９６ｂとしては液晶表示装置等が設けられる。操作入力部９６ａによって、プリンタドライバの各種の設定項目に関する操作が受け付けられる。
【００５７】
また、コンピュータ９０は、ＣＰＵおよび半導体メモリ等を備えている。コンピュータ９０は、そのＣＰＵにおいて、所定のソフトウエアプログラム（以下、単にプログラムとも称する）を実行することによって、各種の処理部を実現する。具体的には、図３に示すように、コンピュータ９０は、送信制御部９１と受信制御部９２と入力制御部９３と表示制御部９４とを含む各種の処理部を実現する。
【００５８】
コンピュータ９０には、プリンタドライバ（ソフトウエアプログラム）がインストールされており、コンピュータ９０は当該プリンタドライバを用いてＭＦＰ１０に対してプリント出力指示を送出することが可能である。
【００５９】
送信制御部９１は、ＭＦＰ１０に対してプリントジョブを送信する動作等を制御し、受信制御部９２は、ＭＦＰ１０からの各種情報を受信する動作等を制御する。
【００６０】
入力制御部９３は、ユーザからの操作入力（候補指定操作（後述）等）を操作入力部９６ａと協働して受け付ける動作等を制御する。
【００６１】
表示制御部９４は、コンピュータの表示部９６ｂにおける表示動作等を制御する。たとえば、表示制御部９４は、プリンタドライバの各種の表示画面（設定画面等）をコンピュータ９０の表示部９６ｂに表示する動作を制御する。
【００６２】
コンピュータ９０は、切換表示可能な複数の設定画面（タブ画面）の中から選択された所望の設定画面内の表示項目に関するユーザ設定操作を行うことが可能な装置（項目設定装置）として動作する。
【００６３】
＜１−４．動作＞
以下では、プリントシステム１における動作について説明する。
【００６４】
＜「固定タブ」画面および「Ｍｙタブ」画面について＞
ユーザは、コンピュータ９０を用いて印刷対象の文書（プリント文書とも称する）を作成し、マウス操作等によってプリンタドライバの印刷設定画面２００（図４参照）をコンピュータ９０の表示部９６ｂに表示させる。そして、ユーザは、印刷設定画面２００を用いてプリントに関する各種の設定項目を設定する。
【００６５】
ユーザが当該印刷設定画面２００を用いて適宜にプリント内容を指定してＯＫボタン２５１を押下（クリック等）すると、コンピュータ９０は、当該プリント内容を反映したプリントジョブを生成する。そして、コンピュータ９０はＭＦＰ１０に対して当該プリントジョブを送信する。ＭＦＰ１０は、当該プリントジョブを受信すると、当該プリントジョブに基づいて印刷出力動作を実行し印刷出力物を生成する。
【００６６】
図４は、印刷設定画面（ＭＦＰ１０に関する印刷設定用のプロパティ画面）２００の一例を示す図である。図４に示すように、この印刷設定画面２００には、「Ｍｙタブ（マイタブ）」、「基本設定」、「レイアウト」、「仕上げ」、「カバーシート／挿入紙」、「スタンプ／ページ印字」、「画像品質」などの複数のタブにそれぞれ対応する複数の設定画面が切換表示される。印刷設定画面２００内の上部の対応タブをマウスでクリックすることなどによって、各設定画面は表示部９６ｂ（詳細には印刷設定画面２００）において選択的に表示される。各設定画面は、「タブ画面」あるいは「サブ設定画面」とも称される。このように、切換表示可能な複数の設定画面（タブ画面）の中から選択された所望の設定画面が表示される。そして、当該所望の設定画面内の表示項目に関するユーザ設定操作が行われる。
【００６７】
これらの複数の設定画面のうち、「Ｍｙタブ」以外の設定画面（「基本設定」、「レイアウト」、「仕上げ」、「カバーシート／挿入紙」、「スタンプ／ページ印字」、「画像品質」、「その他」）は、プリンタドライバにおいて予め準備されている設定画面であり、所定の基準に従って分類された所定の設定項目をそれぞれ有している規定の設定画面（規定設定画面）である。これらのタブ画面（「Ｍｙタブ」以外の設定画面）は、それぞれ、所定の基準に従って分類された所定の設定項目（原則として固定された設定項目）を有することから、「固定タブ」画面とも称される。なお、この「固定タブ」画面は、複数の設定画面のうちカスタマイズ画面（後述）ではない設定画面であることから、当該カスタマイズ画面と対比して、「非カスタマイズ画面」などとも称される。
【００６８】
一方、「Ｍｙタブ」に対応するタブ画面（「Ｍｙタブ」画面とも称する）３００（図４参照）は、ユーザによるカスタマイズが可能な設定画面であり、ユーザによってカスタマイズされた所望の設定項目を配置することが可能な設定画面（「カスタマイズ画面」とも称される）である。「Ｍｙタブ」画面３００においては、複数のタブ画面の複数の設定項目の中から、ユーザが１又は複数の所望の設定項目を選択（登録）し、選択（登録）された設定項目（「被選択項目」とも称される）が１つの設定画面に集約して配置される。「Ｍｙタブ」画面３００は、ユーザにより選択された１又は複数の設定項目が集約された設定画面であることから、「集約画面」あるいは「編集可能画面」なども表現される。
【００６９】
ここにおいて、「Ｍｙタブ」画面３００以外の設定画面（「固定タブ」画面）のみによっても、各種の設定を行うことが可能である。ただし、各種の設定項目は複数の設定画面に分散して配置されているため、ユーザは、複数の設定画面の相互間の往来操作を伴いつつ、複数の設定画面に跨がって配置されている複数の設定項目を設定することが求められる。
【００７０】
これに対して、「Ｍｙタブ」画面３００は、ユーザが頻繁に使用する１又は複数の設定項目が集約された設定画面である。１つの設定画面「Ｍｙタブ」を用いることによれば、ユーザは、複数の設定画面の相互間の往来操作を伴うことなく、複数の設定項目を比較的簡易な操作で設定することが可能である。
【００７１】
＜設定項目の登録等＞
「Ｍｙタブ」画面３００（図４参照）への設定項目の登録手法について、以下に説明する。
【００７２】
図４に示すように、「Ｍｙタブ」画面３００には、「Ｍｙタブ」編集ボタン３５１が配置されている。この「Ｍｙタブ」編集ボタン３５１が押下（クリック等）されると、表示制御部９４は、「Ｍｙタブ」編集画面４００（図５参照）をコンピュータ９０の表示部９６ｂに表示する。詳細には、「Ｍｙタブ」編集画面４００は、「Ｍｙタブ」画面３００に重畳して表示される。
【００７３】
図５は、「Ｍｙタブ」編集画面４００を示す図である。この「Ｍｙタブ」編集画面４００において、ユーザは、以下のようにして、１又は複数の所望の設定項目を「Ｍｙタブ」画面３００に登録（追加）する。なお、「Ｍｙタブ」編集画面４００は、設定項目の「Ｍｙタブ」画面３００への登録処理が行われる画面であることから、「項目登録画面」とも表現される。
【００７４】
具体的には、図５に示すように、「Ｍｙタブ」編集画面４００には、設定項目一覧４６０（次述）と「Ｍｙタブ」設定欄４７０（後述）とが表示されている。この設定項目一覧４６０には、複数の規定設定画面（「固定タブ」画面）の中からユーザにより選択された「固定タブ」画面の複数の設定項目が表示される。たとえば、「基本設定タブ」がユーザにより選択されると、「基本設定タブ」画面の複数の設定項目（「原稿の向き」、「原稿サイズ」、「用紙サイズ」など）が設定項目一覧４６０に表示される（図５参照）。
【００７５】
ユーザは、設定項目一覧４６０内の複数の設定項目の中から所望の設定項目（「Ｍｙタブ」画面３００に配置したい設定項目）（たとえば設定項目「原稿サイズ」）を選択し、ＯＫボタン４５１を押下する。
【００７６】
複数の設定項目の中から「Ｍｙタブ」画面３００に配置すべき設定項目（「原稿サイズ」）が選択されてＯＫボタン４５１が押下されると、ユーザにより選択された設定項目（「原稿サイズ」）が、「Ｍｙタブ」画面３００において表示すべき設定項目として登録される。なお、複数の設定項目の中からユーザにより選択された設定項目（ここでは「原稿サイズ」）は、「被選択項目」とも表現される。
【００７７】
そして、表示制御部９４は、登録情報に基づき、被選択項目（「原稿サイズ」）を「Ｍｙタブ」画面３００において表示する（図４参照）。ここでは、図４に示すように、設定項目「原稿サイズ」、「部数」、「ステープル」および「ページ割付」が、「Ｍｙタブ」画面３００に表示すべき設定項目（ユーザによる所望の設定項目）としてユーザにより指定され、「Ｍｙタブ」画面３００において表示されている。
【００７８】
このようにして、ユーザは、複数の設定項目のうち「Ｍｙタブ」画面３００に表示すべき設定項目を登録することが可能である。
【００７９】
＜候補指定操作等＞
ところで、（従来技術における）「Ｍｙタブ」画面３００においては、「Ｍｙタブ」画面３００内に配置された設定項目の複数の設定候補が、プリンタドライバにおいて予め設定された（標準の）表示方法（デフォルトの表示方法）で表示される。そして、ユーザは、デフォルトの表示方法で表示された複数の設定候補の中から所望の設定候補を設定項目の設定内容として選択する。
【００８０】
しかしながら、「Ｍｙタブ」画面３００内に配置された設定項目の設定候補がデフォルトの表示方法で（そのまま）表示される場合、所望の設定候補を設定項目の設定内容として選択する際のユーザの操作性が必ずしも十分ではないことがある。
【００８１】
たとえば、「Ｍｙタブ」画面３００に配置された或る設定項目の設定内容として多数の設定候補（たとえば１０個以上の設定候補）が設定可能である場合、デフォルトの表示方法においては、当該多数の設定候補が当該或る設定項目に関する選択肢の一覧（「選択肢表示欄」とも称される）においてそのまま表示される。そのため、ユーザは、当該選択肢表示欄内の多数の設定候補の中から所望の設定候補を見つけ出すことが求められ、（少数の設定候補（たとえば２個以下の設定候補）の中から所望の設定候補を選択する際に要する時間よりも）所望の設定候補の選択に比較的長い時間を要するなどの問題が存在する。
【００８２】
具体的には、設定項目「原稿サイズ」においては、当該設定項目「原稿サイズ」の設定内容として多数の設定候補が設定可能である。換言すれば、プリンタドライバには、デフォルト設定（標準設定）として、設定項目「原稿サイズ」の設定内容として多数の設定候補が予め登録されている。設定項目「原稿サイズ」における多数の設定候補がデフォルトの表示方法で表示される場合、設定項目「原稿サイズ」のプルダウンボタン３５２が押下されると、選択肢表示欄において、当該多数の設定候補が選択肢としてそのまま表示される（図６参照）。設定項目「原稿サイズ」の設定候補の１つである設定候補「はがき」を当該多数の設定候補の中から指定する場合、ユーザは、当該多数の設定候補の中から設定候補「はがき」を見つけ出すことが求められる。そのため、（比較的少数の設定候補の中から設定候補「はがき」を選択する際に要する時間よりも）当該設定候補「はがき」設定項目「原稿サイズ」の設定内容として選択するために比較的長い時間を要する。
【００８３】
また、設定候補「はがき」は、一般的に、設定項目「原稿サイズ」の選択肢表示欄において下方の位置に配置されている。そのため、ユーザは、スクロール操作を行うなどして、設定項目「原稿サイズ」の選択肢表示欄の下方の位置を表示させることを要する（図７参照）。
【００８４】
このように、「Ｍｙタブ」画面３００に配置された設定項目（被選択項目）に多数の設定候補が存在する場合、所望の設定候補の選択に比較的長い時間を要するなどの問題が存在し、所望の設定候補を設定項目の設定内容として選択する際のユーザの操作性が必ずしも十分ではないことがある。
【００８５】
そこで、この第１実施形態においては、被選択項目の設定内容として設定可能な複数の設定候補のうち、被選択項目の選択肢表示欄に表示すべき設定候補（表示対象候補）を指定する設定操作（候補指定操作）が受け付けられる。そして、複数の設定候補のうち当該候補指定操作により指定された設定候補（表示対象候補）のみが、被選択項目に関する選択肢として選択肢表示欄において表示される。
【００８６】
当該設定操作（候補指定操作）等について、詳細に説明する。
【００８７】
図５に示すように、「Ｍｙタブ」編集画面４００には、「Ｍｙタブ」設定欄４７０が表示されている。この「Ｍｙタブ」設定欄４７０においては、被選択項目（たとえば設定項目「原稿サイズ」）の設定候補の表示方法に関する設定操作が受け付けられる。詳細には、プリンタドライバにおいて予め設定された（標準の）表示方法（デフォルトの表示方法）を、ユーザにより指定（設定）された表示方法に変更する設定操作が受け付けられる。また、「Ｍｙタブ」設定欄４７０には第１設定欄４７１が設けられている。
【００８８】
この第１設定欄４７１には、被選択項目の設定内容として設定可能な複数の設定候補が表示される。たとえば、設定項目一覧４６０において複数の設定項目の中から設定項目「原稿サイズ」がユーザにより選択されると、選択された設定項目「原稿サイズ」の設定内容として設定可能な複数の設定候補（「Ａ０」、「Ａ１」、「Ａ２」、...）が第１設定欄４７１に表示される（図５参照）。詳細には、プリンタドライバにおいて設定項目「原稿サイズ」の設定内容として予め準備されている全ての設定候補が第１設定欄４７１に表示される。
【００８９】
また、第１設定欄４７１においては、各設定候補の表示要否の指定結果として記号「○」あるいは記号「×」もが表示される。記号「○」は、対応する設定候補を被選択項目の選択肢表示欄に選択肢として表示すべき旨を表示要否の指定結果として示し、記号「×」は、対応する設定候補を被選択項目の選択肢表示欄において選択肢として表示しない旨を表示要否の指定結果として示す。なお、デフォルト設定（標準設定）では、被選択項目（「原稿サイズ」）の設定内容として設定可能な全ての設定候補について「表示すべき旨」（図面上の表示では記号「○」）が設定されている。
【００９０】
図５に示すように、「Ｍｙタブ」設定欄４７０内の第１設定欄４７１の上側には、ユーザにより指定された設定候補の表示要否を切替可能なコンボボックス４７４が表示されている。被選択項目（「原稿サイズ」）の設定内容として設定可能な複数の設定候補のうち被選択項目（「原稿サイズ」）の選択肢表示欄に表示すべき設定候補を指定する設定操作（詳細には候補指定操作）が、第１設定欄４７１とコンボボックス４７４とを用いて受け付けられる。
【００９１】
図８は、被選択項目「原稿サイズ」における複数の設定候補の中から設定候補「Ａ０」が選択された状態の「Ｍｙタブ」編集画面４００を示す図であり、図９は、候補指定操作が受け付けられた後の「Ｍｙタブ」編集画面４００を示す図である。
【００９２】
まず、ユーザは、被選択項目「原稿サイズ」における複数の設定候補のうち選択肢表示欄に表示しない設定候補を指定する。たとえば、複数の設定候補の中から、選択肢表示欄に表示しない設定候補として設定候補「Ａ０」がユーザにより指定（選択）される（図８参照）。そして、入力制御部９３は、コンボボックス４７４において表示要否の変更操作（詳細には、表示要否を示す記号を記号「○」から記号「×」に変更する変更操作）をユーザから受け付ける（図９参照）。これにより、設定候補「Ａ０」を選択肢表示欄に表示しない旨が決定されるとともに、第１設定欄４７１においては、設定候補「Ａ０」を選択肢表示欄に表示しない旨が表示要否の指定結果（図面上の表示では記号「×」）として表示される。
【００９３】
このようにして、ユーザは、選択肢表示欄に表示しない設定候補の表示要否を示す記号を記号「○」から記号「×」に変更し、被選択項目（「原稿サイズ」）に関する選択肢として選択肢表示欄に表示すべき設定候補の表示要否を示す記号を記号「○」のままに設定する。換言すれば、複数の設定候補のうち被選択項目（「原稿サイズ」）に関する選択肢として選択肢表示欄に表示すべき設定候補がユーザにより指定され、指定された設定候補以外の設定候補を選択肢表示欄に表示しない旨を指示する非表示指示操作がユーザにより行われる。ここでは、被選択項目「原稿サイズ」の設定内容として設定可能な複数の設定候補の中から４つの設定候補（「Ａ３」、「Ａ４」、「Ｂ５」および「はがき」）が、選択肢表示欄に選択肢として表示すべき設定候補として指定される。なお、被選択項目における複数の設定候補のうち候補指定操作により指定された設定候補（被選択項目における複数の設定候補のうち選択肢表示欄に選択肢として表示すべき設定候補）は、「表示対象候補」とも表現される。
【００９４】
候補指定操作が受け付けられ、ＯＫボタン４５１が押下されると、設定操作（候補指定操作）の操作内容が登録される。具体的には、被選択項目における複数の設定候補のうち候補指定操作により指定された設定候補（ここでは４つの設定候補（「Ａ３」、「Ａ４」、「Ｂ５」および「はがき」））が、被選択項目（「原稿サイズ」）に関する選択肢として登録される。
【００９５】
そして、表示制御部９４は、登録情報に基づき、「Ｍｙタブ」画面３００における被選択項目（「原稿サイズ」）の選択肢表示欄において、被選択項目（「原稿サイズ」）の設定内容として設定可能な複数の設定候補のうち候補指定操作により指定された表示対象候補のみを被選択項目（「原稿サイズ」）に関する選択肢として表示する（図１０参照）。図１０は、候補指定操作が受け付けられた後に表示される「Ｍｙタブ」画面３００を示す図である。
【００９６】
具体的には、候補指定操作が受け付けられた後の「Ｍｙタブ」画面３００において、設定項目（被選択項目）「原稿サイズ」のプルダウンボタン３５２が押下されると、被選択項目「原稿サイズ」の選択肢表示欄（選択肢の一覧）が表示される（図１０参照）。そして、この被選択項目「原稿サイズ」の選択肢表示欄において、複数の設定候補のうち候補指定操作により指定された表示対象候補のみが設定項目「原稿サイズ」に関する選択肢として表示される（図１０参照）。より詳細には、当該複数の設定候補のうち、ユーザにより指定された４つの設定候補（被選択項目に関する選択肢として登録された４つの設定候補）（「Ａ３」、「Ａ４」、「Ｂ５」および「はがき」）のみが、被選択項目「原稿サイズ」に関する選択肢として当該選択肢表示欄に表示される。換言すれば、被選択項目における複数の設定候補のうち、候補指定操作により指定された設定候補（「Ａ３」、「Ａ４」、「Ｂ５」および「はがき」）以外の設定候補は当該選択肢表示欄に表示されない。
【００９７】
以上のような動作によれば、被選択項目（「原稿サイズ」）の設定内容として設定可能な複数の設定候補のうち候補指定操作により指定された設定候補（ユーザによる所望の設定候補）のみが、被選択項目に関する選択肢として被選択項目の選択肢表示欄において表示される。換言すれば、被選択項目の設定内容として多数の設定候補が設定可能であっても、当該多数の設定候補のうち、ユーザにより指定された設定候補以外の設定候補は当該選択肢表示欄に表示されない。そのため、被選択項目の選択肢表示欄に表示される設定候補の個数（選択肢の数）を減らすことができるので、ユーザは、所望の設定候補（たとえば「はがき」）を容易に見つけ出すことができる。したがって、所望の設定候補「はがき」の選択に要する時間を短縮することができるので、所望の設定候補を設定項目（被選択項目）の設定内容として選択する際のユーザの操作性を向上させることが可能である。
【００９８】
＜２．第２実施形態＞
第２実施形態に係る項目設定装置においては、上記第１実施形態の動作に加えてさらに表示対象候補の表示順序を指定する順序指定操作をも受け付けることができる。
【００９９】
詳細には、この第２実施形態においては、選択肢表示欄における表示対象候補の表示順序を指定する設定操作（順序指定操作）もが受け付けられる。そして、被選択項目における複数の設定候補のうち候補指定操作により指定された表示対象候補のみが、順序指定操作により指定された表示順序で、被選択項目に関する選択肢として選択肢表示欄において表示される。以下、このような態様について例示する。
【０１００】
図１１は、第２実施形態に係る「Ｍｙタブ」編集画面４００を示す図である。ここでは、第１実施形態と同様に、設定項目一覧４６０において「基本設定タブ」画面の複数の設定項目が表示され、当該複数の設定項目の中から設定項目「原稿サイズ」が選択されている。また、選択された設定項目（被選択項目）「原稿サイズ」の設定内容として設定可能な複数の設定候補が、「Ｍｙタブ」設定欄４７０内の第１設定欄４７１に表示されている。なお、ここでは、第１実施形態と同様に、被選択項目「原稿サイズ」における複数の設定候補のうち４つの設定候補（「Ａ３」、「Ａ４」、「Ｂ５」および「はがき」）が、選択肢表示欄に表示すべき設定候補（表示対象候補）として候補指定操作により指定されている。
【０１０１】
また、第２実施形態に係る「Ｍｙタブ」編集画面４００においては、「Ｍｙタブ」編集画面４００内の第１設定欄４７１の上側に、「上へ」ボタン４７５と「下へ」ボタン４７６とが表示されている（図１１参照）。ユーザは、この「上へ」ボタン４７５あるいは「下へ」ボタン４７６を押下（クリック等）して選択肢表示欄における表示対象候補の表示順序を指定する。なお、この第１設定欄４７１において、デフォルト設定では、被選択項目「原稿サイズ」における複数の設定候補がデフォルト設定時の表示順序（プリンタドライバにおいて予め設定されている表示順序）（「Ａ０」、「Ａ１」、「Ａ２」、「Ａ３」、...）で表示される。
【０１０２】
表示対象候補の順序指定操作について、以下に説明する。
【０１０３】
たとえば、まず、入力制御部９３は、図１１に示すように、被選択項目（「原稿サイズ」）における複数の設定候補の中から特定の設定候補（たとえば「Ａ４」）を選択する選択操作をユーザから受け付ける。そして、当該特定の設定候補（「Ａ４」）が選択された状態で、入力制御部９３は、「上へ」ボタン４７５の押下操作をさらに受け付ける。「上へ」ボタン４７５の押下操作に基づき、表示制御部９４は、図１２に示すように、被選択項目の選択肢表示欄における表示対象候補の表示順序を変更する。詳細には、表示制御部９４は、当該特定の設定候補「Ａ４」の表示位置と、当該押下操作の受付前（図１１参照）に当該特定の設定候補「Ａ４」の上側に存在していた設定候補「Ａ３」の表示位置とを入れ替える（図１２参照）。なお、「下へ」ボタン４７６が押下された場合も「上へ」ボタン４７５が押下された場合と同様にして表示対象候補の表示順序が変更される。
【０１０４】
このようにして、ユーザは、「上へ」ボタン４７５あるいは「下へ」ボタン４７６を押下して、被選択項目の選択肢表示欄における各設定候補（表示対象候補）を所望の位置（順番）に移動させ、被選択項目の選択肢表示欄における表示対象候補の表示順序を指定する。図１３は、表示対象候補が指定され且つ表示対象候補の表示順序が指定された後の「Ｍｙタブ」編集画面４００を示す図である。ここでは、図１３に示すように、被選択項目の選択肢表示欄における表示対象候補の表示順序として、「はがき」、「Ａ４」、「Ａ３」、「Ｂ５」の順序が指定される。換言すれば、被選択項目の選択肢表示欄における表示対象候補の表示順序が、デフォルト設定時の表示順序（「Ａ３」、「Ａ４」、「Ｂ５」、「はがき」）から順序指定操作後の表示順序（「はがき」、「Ａ４」、「Ａ３」、「Ｂ５」）に変更される。
【０１０５】
表示対象候補を指定する候補指定操作と表示対象候補の表示順序を指定する順序指定操作とが受け付けられ、ＯＫボタン４５１が押下されると、各設定操作（候補指定操作および順序指定操作）の操作内容が登録される。具体的には、被選択項目における複数の設定候補のうち候補指定操作により指定された設定候補（ここでは４つの設定候補（「Ａ３」、「Ａ４」、「Ｂ５」および「はがき」））が、被選択項目（「原稿サイズ」）に関する選択肢として登録される。また、順序指定操作により指定された表示順序が、被選択項目（「原稿サイズ」）の選択肢表示欄内の表示対象候補の表示順序として登録される。
【０１０６】
そして、表示制御部９４は、登録情報に基づき、被選択項目「原稿サイズ」における複数の設定候補のうち候補指定操作により指定された表示対象候補のみを、順序指定操作により指定された表示順序で、被選択項目に関する選択肢として被選択項目の選択肢表示欄において表示する（図１４参照）。図１４は、候補指定操作と順序指定操作とが受け付けられた後に表示される「Ｍｙタブ」画面３００を示す図である。
【０１０７】
具体的には、当該「Ｍｙタブ」画面３００において、設定項目（被選択項目）「原稿サイズ」のプルダウンボタン３５２が押下されると、設定項目「原稿サイズ」の選択肢表示欄が表示される。この設定項目「原稿サイズ」の選択肢表示欄において、設定項目「原稿サイズ」における複数の設定候補のうち候補指定操作により指定された表示対象候補のみが、順序指定操作により指定された表示順序（「はがき」、「Ａ４」、「Ａ３」、「Ｂ５」）で、設定項目「原稿サイズ」に関する選択肢として表示される（図１４参照）。
【０１０８】
このように、第２実施形態においては、被選択項目（「原稿サイズ」）における複数の設定候補のうち候補指定操作により指定された表示対象候補のみが、順序指定操作により指定された表示順序（ユーザによる所望の表示順序）で、被選択項目に関する選択肢として選択肢表示欄に表示される。そのため、ユーザは、高い使用頻度の設定候補（頻繁に使用したい設定候補）を設定項目の選択肢表示欄において比較的上方（先頭側）の位置に配置させることができるので、所望の設定候補（たとえば「はがき」）を容易に選択することができる。したがって、所望の設定候補を設定項目（被選択項目）の設定内容として選択する際のユーザの操作性を向上させることが可能である。
【０１０９】
なお、第２実施形態では、順序指定操作が候補指定操作に加えて受け付けられる態様を例示したが、これに限定されず、（候補指定操作が受け付けられず、）順序指定操作のみが受け付けられるようにしてもよい。
【０１１０】
具体的には、第１設定欄４７１において、候補指定操作がユーザにより行われず、被選択項目（たとえば「原稿サイズ」）の選択肢表示欄における当該被選択項目の複数の設定候補の表示順序を指定する順序指定操作（のみ）が受け付けられる。そして、順序指定操作後の「Ｍｙタブ」画面３００内の被選択項目の選択肢表示欄において、当該複数の設定候補が、順序指定操作により指定された表示順序で被選択項目に関する選択肢として表示される。
【０１１１】
これによれば、多数の設定候補が被選択項目の選択肢表示欄に表示される場合であっても、ユーザは、高い使用頻度の設定候補（頻繁に使用したい設定候補）を選択肢表示欄において比較的上方（先頭側）の位置に配置させることができるので、所望の設定候補（たとえば「はがき」）を容易に見つけ出すことができる。したがって、所望の設定候補の選択に要する時間を短縮することができるので、所望の設定候補を設定項目（被選択項目）の設定内容として選択する際のユーザの操作性を向上させることが可能である。
【０１１２】
＜３．第３実施形態＞
第３実施形態に係る項目設定装置においては、上記第１、第２実施形態の各動作に加えてさらに階層分解指示操作（次述）をも受け付けることができる。
【０１１３】
詳細には、この第３実施形態では、２階層の設定項目（後述）の設定候補を特定の被選択項目の選択肢表示欄において非階層化して並べて表示すべき旨を指示する設定操作（階層分解指示操作）もが受け付けられる。そして、当該特定の被選択項目の選択肢表示欄において、２階層の設定項目の設定候補が当該特定の被選択項目に関する選択肢として非階層化して並べて表示される。
【０１１４】
上述の印刷設定画面２００において設定可能な設定項目の中には、２階層の設定項目で構成される設定項目も存在する。
【０１１５】
たとえば、ページ割付機能には、３つの設定項目（「ページ割付」、「順序」および「境界」）が存在する。ページ割付機能における３つの設定項目のうち主たる設定項目「ページ割付」のみが「Ｍｙタブ」画面３００において表示され、他の設定項目（従たる設定項目）（「順序」および「境界」）は「Ｍｙタブ」画面３００自体には表示されない（図４参照）。換言すれば、ページ割付機能における主たる設定項目「ページ割付」は２階層の設定項目で構成され、当該２階層の設定項目のうちの上位階層の設定項目（主たる設定項目（「ページ割付」））のみが「Ｍｙタブ」画面３００において表示される。一方、当該２階層の設定項目のうちの下位階層の設定項目（従たる設定項目（「順序」および「境界」））は、「Ｍｙタブ」画面３００自体には表示されず、詳細設定画面（「Ｍｙタブ」画面３００とは異なる画面）に表示される。
【０１１６】
他の設定項目は、当該詳細設定画面において設定可能である。具体的には、ページ割付機能における複数の設定項目のうち主たる設定項目「ページ割付」以外の設定項目（従たる設定項目）（「順序」および「境界」）について設定を行う際、ユーザは、「Ｍｙタブ」画面３００（図４参照）内の詳細設定ボタン３５３を押下する。当該詳細設定ボタン３５３は、当該詳細設定画面を表示すべき旨を指示する指示ボタンである。当該詳細設定ボタン３５３が押下されると、表示制御部９４は、ページ割付機能に関する詳細設定画面５００（図１５参照）を印刷設定画面２００に重畳して表示する。
【０１１７】
図１５は、「レイアウトタブ」画面内のページ割付機能に関するデフォルトの詳細設定画面５００を示す図である。この詳細設定画面５００にはページ割付機能の設定項目として設定可能な複数の設定項目が表示される。具体的には、図１５に示すように、詳細設定画面５００には、主たる設定項目（「ページ割付」）と従たる設定項目（「順序」および「境界」）とが表示される。主たる設定項目は、当該複数の設定項目のうちサブ設定項目ではない設定項目であることから、「メイン設定項目」とも表現される。あるいは、２階層の設定項目のうちの上位階層の設定項目であることから「上位階層項目」とも表現される。また、従たる設定項目は、主たる設定項目に付随する設定項目であることから「サブ設定項目」とも表現される。あるいは、２階層の設定項目のうちの下位階層の設定項目であることから「下位階層項目」とも表現される。この詳細設定画面５００において、ユーザは、メイン設定項目の設定内容として設定可能な複数の設定候補の中から所望の設定候補を指定（選択）するとともに、サブ設定項目の設定内容として設定可能な複数のサブ設定候補の中から所望のサブ設定候補を指定（選択）し、ページ割付機能に関する詳細設定を行う。
【０１１８】
このように、サブ設定項目に関する設定を行う場合、ユーザは、「Ｍｙタブ」画面３００とは異なる画面（詳細設定画面５００）にて当該サブ設定項目に関する設定を行うことが求められる。換言すれば、デフォルトの表示方法においてはサブ設定項目に関する設定を「Ｍｙタブ」画面３００のみでは行うことができず、ユーザの操作性は必ずしも十分ではない。
【０１１９】
そこで、この第３実施形態においては、２階層の設定項目の設定候補を被選択項目の選択肢表示欄において非階層化して並べて表示すべき旨を指示する設定操作（階層分解指示操作）もが受け付けられる。そして、当該階層分解指示操作が受け付けられた後において、当該２階層の設定項目の設定候補が、被選択項目に関する選択肢として「Ｍｙタブ」画面３００内の被選択項目の選択肢表示欄に並列的に表示される。
【０１２０】
図１６は、第３実施形態に係る当該階層分解指示操作が受け付けられる前の「Ｍｙタブ」編集画面４００を示す図である。ここでは、図１６に示すように、設定項目一覧４６０において「レイアウトタブ」画面の複数の設定項目が表示され、当該複数の設定項目の中から設定項目「ページ割付」が選択されている。また、選択された設定項目「ページ割付」の設定内容として設定可能な複数の設定候補（「２ｉｎ１」、「４ｉｎ１」、「６ｉｎ１」および「９ｉｎ１」）が「Ｍｙタブ」設定欄４７０内の第１設定欄４７１に表示されている。
【０１２１】
また、図１６に示すように、「Ｍｙタブ」編集画面４００には、「階層分解」ボタン４７７もが表示されている。この「階層分解」ボタン４７７は、被選択項目の選択肢表示欄において２階層の設定項目の設定候補を非階層化して並べて表示すべき旨を指示するための指示ボタンである。
【０１２２】
図１７は、当該「階層分解」ボタン４７７が押下された後（階層分解指示操作が受け付けられた後）の「Ｍｙタブ」編集画面４００を示す図である。当該「階層分解」ボタン４７７がユーザにより押下（クリック等）されると、被選択項目の設定候補とサブ設定項目の設定候補（サブ設定候補）との組合せを被選択項目に関する選択肢として被選択項目の選択肢表示欄に（並列的に）表示すべき旨を指示する階層分解指示操作が受け付けられる。そして、被選択項目「ページ割付」における複数の設定候補とサブ設定項目における複数のサブ設定候補との複数の組合せが第１設定欄４７１に表示される（図１７参照）。
【０１２３】
具体的には、図１７に示すように、第１設定欄４７１において、ページ割付機能の３つの設定項目の各設定候補が第１〜第３の位置Ｐ１〜Ｐ３に配置される。詳細には、当該３つの設定項目のうち第１の設定項目（主たる設定項目（被選択項目「ページ割付」））の設定候補（「２ｉｎ１」、「４ｉｎ１」、...）が、第１の位置Ｐ１（３つの配置位置Ｐ１〜Ｐ３のうち最も左側の位置）に配置される。また、当該３つの設定項目のうち第２の設定項目（サブ設定項目「順序」）の設定候補（サブ設定候補）（「左から右」、「右から左」、...）が、第２の位置Ｐ２（３つの配置位置Ｐ１〜Ｐ３のうち中央の位置）に配置される。さらに、当該３つの設定項目のうち第３の設定項目（サブ設定項目「境界」）の設定候補（サブ設定候補）（「境界無」、「枠」、「線」）が、第３の位置Ｐ３（３つの配置位置Ｐ１〜Ｐ３のうち最も右側の位置）に配置される。そして、被選択項目（「ページ割付」）における複数の設定候補と各サブ設定項目（「順序」および「境界」）における複数のサブ設定候補との複数の組合せ（「２ｉｎ１、左から右、境界無」、「２ｉｎ１、左から右、枠」、...）が、第１設定欄４７１に表示される。換言すれば、各設定項目における各設定候補が上位階層項目に関する選択肢として設定可能となるように、上位階層項目（「ページ割付」）と下位階層項目（「順序」および「境界」）とで構成される２階層の設定項目の階層構造が分解されて当該組合せが第１設定欄４７１に（並列的に）表示される。
【０１２４】
ここでは、階層分解指示操作が受け付けられた後において、さらに、候補指定操作および順序指定操作もが受け付けられる。
【０１２５】
図１８は、階層分解指示操作と候補指定操作と順序指定操作とが受け付けられた後の「Ｍｙタブ」編集画面４００を示す図である。
【０１２６】
入力制御部９３は、上記第１実施形態と同様の手順により、当該複数の組合せのうち被選択項目（「ページ割付」）に関する選択肢として被選択項目の選択肢表示欄に表示すべき組合せを指定する設定操作（候補指定操作）をも受け付ける。ここでは、３つの組合せ（「２ｉｎ１、左から右、境界無」、「２ｉｎ１、左から右、枠」、「２ｉｎ１、左から右、線」）が候補指定操作により指定される。
【０１２７】
また、入力制御部９３は、上記第２実施形態と同様の手順により、当該複数の組合せのうち候補指定操作により指定された組合せの選択肢表示欄における表示順序を指定する順序指定操作をも受け付ける。ここでは、選択肢表示欄における当該３つの組合せの表示順序として「２ｉｎ１、左から右、線」、「２ｉｎ１、左から右、枠」、「２ｉｎ１、左から右、境界無」が順序指定操作により指定される。
【０１２８】
階層分解指示操作と候補指定操作と順序指定操作とが受け付けられ、ＯＫボタン４５１が押下されると、各設定操作（階層分解指示操作、候補指定操作および順序指定操作）の操作内容が登録される。具体的には、被選択項目（「ページ割付」）における複数の設定候補とサブ設定項目（「順序」および「境界」）における複数のサブ設定候補との複数の組合せのうち候補指定操作により指定された組合せ（表示対象組合せ）が、被選択項目に関する選択肢として登録される。また、順序指定操作により指定された表示順序が、被選択項目（「ページ割付」）の選択肢表示欄内の当該表示対象組合せの表示順序として登録される。
【０１２９】
そして、表示制御部９４は、登録情報に基づき、当該複数の組合せのうち候補指定操作により指定された組合せ（表示対象組合せ）のみを、順序指定操作により指定された表示順序で、被選択項目に関する選択肢として被選択項目の選択肢表示欄において表示する（図１９参照）。図１９は、階層分解指示操作と候補指定操作と順序指定操作とが受け付けられた後に表示される「Ｍｙタブ」画面３００を示す図である。
【０１３０】
具体的には、当該「Ｍｙタブ」画面３００において、設定項目（被選択項目）「ページ割付」のプルダウンボタン３５４が押下されると、被選択項目「ページ割付」の選択肢表示欄が表示される。当該選択肢表示欄において、被選択項目における複数の設定候補とサブ設定項目における複数のサブ設定候補との組合せのうち候補指定操作により指定された組合せ（表示対象組合せ）のみが、順序指定操作により指定された表示順序（「２ｉｎ１、左から右、線」、「２ｉｎ１、左から右、枠」、「２ｉｎ１、左から右、境界無」）で、被選択項目に関する選択肢として表示される（図１９参照）。
【０１３１】
このように、第３実施形態においては、被選択項目（「ページ割付」）とサブ設定項目（「順序」および「境界」）とで構成される２階層の設定項目の設定候補が、非階層化して並べて被選択項目「ページ割付」の選択肢表示欄に表示される。そのため、ユーザは、サブ設定項目に関する設定を、「Ｍｙタブ」画面３００とは異なる画面（詳細設定画面５００）を用いずとも、「Ｍｙタブ」画面３００のみで行うことができる。したがって、所望の設定候補を設定項目（被選択項目）の設定内容として選択する際のユーザの操作性を向上させることが可能である。
【０１３２】
なお、第３実施形態では、階層分解指示操作が受け付けられた後に候補指定操作と順序指定操作とがさらに受け付けられる態様を例示したが、これに限定されず、（候補指定操作および順序指定操作が受け付けられず、）当該階層分解指示操作のみが受け付けられるようにしてもよい。
【０１３３】
具体的には、図１６の「Ｍｙタブ」編集画面４００において、「階層分解」ボタン４７７が押下されて、階層分解指示操作が受け付けられる。そして、被選択項目（「ページ割付」）における複数の設定候補と各サブ設定項目（「順序」および「境界」）における複数のサブ設定候補との組合せ（「２ｉｎ１、左から右、境界無」、「２ｉｎ１、左から右、枠」、...）が、第１設定欄４７１に表示される（図１７参照）。その後、（候補指定操作がユーザにより行われずに、）ＯＫボタン４５１が押下されると、被選択項目（「ページ割付」）における複数の設定候補と各サブ設定項目（「順序」および「境界」）における複数のサブ設定候補との組合せ（「２ｉｎ１、左から右、境界無」、「２ｉｎ１、左から右、枠」、...）が、被選択項目に関する選択肢として「Ｍｙタブ」画面３００内の被選択項目の選択肢表示欄において表示される。
【０１３４】
＜４．第４実施形態＞
第４実施形態に係る項目設定装置においては、上記第１〜第３実施形態の各動作に加えてさらにコントロール指定操作（後述）をも受け付けることができる。
【０１３５】
詳細には、この第４実施形態においては、複数の種類（ここでは２種類）のユーザインターフェース部品のうちのいずれの種類のユーザインターフェース部品を被選択項目の選択肢表示欄の表示に用いるか、に関する設定操作もが受け付けられる。そして、「Ｍｙタブ」画面３００において、当該複数の種類のユーザインターフェース部品のうち当該設定操作に基づき決定された種類のユーザインターフェース部品を用いて被選択項目の選択肢表示欄が表示される。
【０１３６】
より詳細には、第４実施形態では、複数の種類（ここでは２種類）のユーザインターフェース部品のうち被選択項目の選択肢表示欄の表示に用いる種類のユーザインターフェース部品を指定する設定操作もが受け付けられる。そして、「Ｍｙタブ」画面３００において、当該複数の種類のユーザインターフェース部品のうち当該設定操作により指定された種類のユーザインターフェース部品を用いて被選択項目の選択肢表示欄が表示される。
【０１３７】
この第４実施形態では、複数の種類のユーザインターフェース部品として、「コンボボックス」と「ラジオボタン」との２種類のユーザインターフェース部品を例示する。
【０１３８】
ここにおいて、「コンボボックス」は、プルダウンボタン（特定の設定項目（特定の被選択項目）の選択肢表示欄を表示すべき旨を指示するための指示ボタン）を有し且つ当該指示ボタンの押下操作に応答して選択肢表示欄を表示する種類のユーザインターフェース部品である。選択肢表示欄の表示に「コンボボックス」が用いられる場合、特定の被選択項目におけるプルダウンボタンがユーザにより押下されると、特定の被選択項目の選択肢表示欄が表示される。そして、ユーザは、当該選択肢表示欄内の選択肢の中から所望の選択肢を押下（クリックなど）して、所望の選択肢を択一的に選択（指定）する。この「コンボボックス」を用いた選択肢表示欄の表示においては、プルダウンボタンの押下操作が受け付けられると特定の設定項目の選択肢表示欄が表示されるため、設定画面（「Ｍｙタブ」画面３００）の画面構成において、当該選択肢表示欄を常に表示する場合よりも小さい領域面積で当該設定項目の設定欄を表示することができる。ただし、ユーザにとっては、当該選択肢表示欄を表示させるためにプルダウンボタンを押下することを要し、ユーザの操作性が必ずしも十分とは言えないこともある。
【０１３９】
一方、「ラジオボタン」は、「コンボボックス」とは異なる種類のユーザインターフェース部品であり、指示ボタンを有さず且つ「Ｍｙタブ」画面３００自体において特定の設定項目（特定の被選択項目）の選択肢表示欄を常に表示する種類のユーザインターフェース部品である。選択肢表示欄の表示に「ラジオボタン」が用いられる場合、「Ｍｙタブ」画面３００自体に特定の設定項目の選択肢表示欄が常に表示され、当該選択肢表示欄内の選択肢がラジオボタン形式で表示される。そして、ユーザは、ラジオボタン形式で表示された選択肢の中から所望の選択肢を押下（クリックなど）して、当該所望の選択肢を択一的に選択（指定）する。この「ラジオボタン」を用いた選択肢表示欄の表示においては、設定項目の選択肢表示欄が「Ｍｙタブ」画面３００自体にて常に表示されているため、ユーザは、指示ボタンを押下することなく、所望の設定候補を直接的に選択することができる。ただし、選択肢表示欄に表示される設定候補の個数が一定数（たとえば５個）よりも多い場合には、選択肢表示欄の表示に大きな領域面積を要し、「ラジオボタン」を用いた選択肢表示欄の表示が画面構成上ふさわしくないこともある。
【０１４０】
「コンボボックス」および「ラジオボタン」のそれぞれの特質を考慮すると、「コンボボックス」を用いた選択肢表示欄の表示は、表示対象候補の個数が一定数（たとえば５個）よりも多い場合に特に有用であり、「ラジオボタン」を用いた選択肢表示欄の表示は、表示対象候補の個数が一定数（５個）よりも少ない場合に特に有用である。なお、ユーザインターフェース部品は、「コントロール」とも称される。
【０１４１】
図２０は、第４実施形態に係る「Ｍｙタブ」編集画面４００を示す図である。ここでは、第１実施形態と同様に、設定項目一覧４６０において「基本設定タブ」画面の複数の設定項目が表示され、当該複数の設定項目の中から設定項目「原稿サイズ」が選択されている。さらに、図２０に示すように、第１設定欄４７１には、被選択項目「原稿サイズ」の設定内容として設定可能な複数の設定候補（「Ａ０」、「Ａ１」、「Ａ２」、...）が表示されている。なお、ここでは、被選択項目「原稿サイズ」における複数の設定候補のうち４つの設定候補（「Ａ３」、「Ａ４」、「Ｂ５」および「はがき」）が、選択肢表示欄に表示すべき設定候補（表示対象候補）として候補指定操作により指定されている。
【０１４２】
また、「Ｍｙタブ」編集画面４００には、第２設定欄４７２が設けられている（図２０参照）。この第２設定欄４７２においては、２種類のコントロール（「コンボボックス」および「ラジオボタン」）のうちのいずれの種類のコントロールを選択肢表示欄の表示に用いるか、に関する設定操作が受け付けられる。図２０に示すように、第２設定欄４７２には、２つの選択肢Ｃ１１，Ｃ１２がラジオボタン形式で表示されている。選択肢Ｃ１１は、被選択項目の選択肢表示欄を「ラジオボタン」を用いて表示すべき旨を示す選択肢であり、選択肢Ｃ１２は、被選択項目の選択肢表示欄を「コンボボックス」を用いて表示すべき旨を示す選択肢である。なお、プリンタドライバにおけるデフォルト設定（標準設定）では、選択肢Ｃ１２が予め選択されている（選択肢表示欄を「コンボボックス」を用いて表示する旨が予め設定されている）。
【０１４３】
入力制御部９３は、２種類のコントロールのうち被選択項目の選択肢表示欄の表示に用いる種類のコントロールを（明示的に）指定するコントロール指定操作（「インターフェース部品指定操作」とも称される）を受け付ける。
【０１４４】
たとえば、表示対象候補の個数に基づき被選択項目「原稿サイズ」の選択肢表示欄を「ラジオボタン」を用いて表示すべきであるとユーザが判断した場合、ユーザは、第２設定欄４７２において、２種類のコントロール（「コンボボックス」および「ラジオボタン」）の中から「ラジオボタン」（選択肢Ｃ１１）を選択する（図２０参照）。換言すれば、入力制御部９３は、２種類のコントロール（「コンボボックス」および「ラジオボタン」）のうち、被選択項目の選択肢表示欄の表示に用いる種類のコントロールとして「ラジオボタン」を指定する設定操作（コントロール指定操作）をユーザから受け付ける。
【０１４５】
一方、表示対象候補の個数に基づき被選択項目「原稿サイズ」の選択肢表示欄を「コンボボックス」を用いて表示すべきであるとユーザが判断した場合、ユーザは、第２設定欄４７２において、２種類のコントロール（「コンボボックス」および「ラジオボタン」）の中から「コンボボックス」（選択肢Ｃ１２）を選択する（不図示）。換言すれば、入力制御部９３は、２種類のコントロール（「コンボボックス」および「ラジオボタン」）のうち、被選択項目の選択肢表示欄の表示に用いられる種類のコントロールとして「コンボボックス」を指定する設定操作（コントロール指定操作）をユーザから受け付ける。
【０１４６】
候補指定操作とコントロール指定操作とが受け付けられ、ＯＫボタン４５１が押下されると、各設定操作（候補指定操作およびコントロール指定操作）の操作内容が登録される。具体的には、被選択項目における複数の設定候補のうち候補指定操作により指定された設定候補（表示対象候補）（ここでは４つの設定候補（「Ａ３」、「Ａ４」、「Ｂ５」および「はがき」））が、被選択項目（「原稿サイズ」）に関する選択肢として登録される。また、２種類のコントロールのうちコントロール指定操作に基づき決定された種類のコントロールを用いて被選択項目「原稿サイズ」の選択肢表示欄を表示すべき旨の情報が登録される。より詳細には、２種類のコントロールのうちコントロール指定操作により指定された種類のコントロールを用いて当該選択肢表示欄を表示すべき旨の情報が登録される。たとえば、第２設定欄４７２において選択肢Ｃ１１（「ラジオボタン」）が選択されると、被選択項目「原稿サイズ」の選択肢表示欄を「ラジオボタン」を用いて表示すべき旨の情報がコントロール指定操作の操作内容として登録される。
【０１４７】
そして、候補指定操作とコントロール指定操作とが受け付けられた後において、表示制御部９４は、登録情報に基づき、「Ｍｙタブ」画面３００において、２種類のコントロールのうち設定操作（コントロール指定操作）に基づき決定された種類のコントロールを用いて被選択項目「原稿サイズ」の選択肢表示欄を表示する。詳細には、表示制御部９４は、「Ｍｙタブ」画面３００において、コントロール指定操作により指定された種類のコントロールを用いて被選択項目「原稿サイズ」の選択肢表示欄を表示する。
【０１４８】
たとえば、第２設定欄４７２において選択肢Ｃ１１（「ラジオボタン」）が選択された場合には、図２１の「Ｍｙタブ」画面３００が表示される。図２１は、２種類のコントロールのうち選択肢表示欄の表示に用いる種類のコントロールとして「ラジオボタン」がコントロール指定操作により指定された後の「Ｍｙタブ」画面３００を示す図である。図２１に示すように、当該「Ｍｙタブ」画面３００において、被選択項目「原稿サイズ」の選択肢表示欄が「ラジオボタン」を用いて表示される。換言すれば、選択肢表示欄の表示に用いられる種類のコントロールがデフォルトの表示方法（「コンボボックス」）から「ラジオボタン」に変更され、変更後の種類のコントロール（「ラジオボタン」）を用いて選択肢表示欄が「Ｍｙタブ」画面３００に表示される。そして、被選択項目「原稿サイズ」における複数の設定候補のうち候補指定操作により指定された表示対象候補（ここでは「Ａ３」、「Ａ４」、「Ｂ５」および「はがき」）のみが被選択項目に関する選択肢として当該選択肢表示欄において表示される。
【０１４９】
一方、第２設定欄４７２において選択肢Ｃ１２（「コンボボックス」）が選択された場合には、図１０の「Ｍｙタブ」画面３００が表示される。具体的には、被選択項目「原稿サイズ」の選択肢表示欄が「コンボボックス」を用いて「Ｍｙタブ」画面３００に表示される（図１０参照）。換言すれば、被選択項目「原稿サイズ」の選択肢表示欄がデフォルトの表示方法（「コンボボックス」）で表示される。そして、被選択項目「原稿サイズ」における複数の設定候補のうち候補指定操作により指定された表示対象候補（「Ａ３」、「Ａ４」、「Ｂ５」および「はがき」）のみが被選択項目に関する選択肢として当該選択肢表示欄において表示される。
【０１５０】
以上のように、第４実施形態においては、設定操作に基づき決定された種類のコントロールを用いて被選択項目（「原稿サイズ」）の選択肢表示欄が「Ｍｙタブ」画面３００に表示される。具体的には、選択肢表示欄が「コンボボックス」あるいは「ラジオボタン」を用いて「Ｍｙタブ」画面３００に表示される。したがって、「Ｍｙタブ」画面３００において、ユーザの操作性および設定画面の画面構成を考慮した上で当該選択肢表示欄の表示に適した種類のコントロールを用いて被選択項目の選択肢表示欄を表示することが可能である。
【０１５１】
詳細には、たとえば被選択項目の設定候補の個数が一定数（たとえば５個）よりも多く被選択項目の選択肢表示欄を「コンボボックス」を用いて表示すべきであるとユーザが判断すると、ユーザは、当該選択肢表示欄を「コンボボックス」を用いて表示すべき旨を設定する。また、被選択項目の設定候補の個数が一定数（たとえば５個）よりも少なく被選択項目の選択肢表示欄を「ラジオボタン」を用いて表示すべきであるとユーザが判断すると、ユーザは、当該選択肢表示欄を「ラジオボタン」を用いて表示すべき旨を設定する。このように、被選択項目の選択肢表示欄の表示に適しているとユーザにより判断された種類のコントロールを用いて当該選択肢表示欄を「Ｍｙタブ」画面３００に表示することが可能である。
【０１５２】
また、「Ｍｙタブ」画面３００において、被選択項目（「原稿サイズ」）の選択肢表示欄の表示に用いる種類のコントロールとして「ラジオボタン」が指定されると、当該選択肢表示欄が（デフォルトの表示方法（「コンボボックス」）ではなく）「ラジオボタン」を用いて表示される。そのため、ユーザは、指示ボタン（プルダウンボタン）を押下することなく選択肢表示欄の中から所望の設定候補（たとえば「はがき」）を直接的に選択することができる。したがって、所望の設定候補を設定項目（被選択項目）の設定内容として選択する際のユーザの操作性を向上させることが可能である。
【０１５３】
＜５．第５実施形態＞
第５実施形態に係る項目設定装置においては、上記第１〜第４実施形態の各動作に加えてさらにコントロール自動変更指示操作（次述）をも受け付けることができる。
【０１５４】
詳細には、この第５実施形態においては、複数の種類のユーザインターフェース部品のうち、被選択項目の表示対象候補の個数（設定アイテム数）と所定個数（基準個数）Ｎとの大小関係の判定結果に応じて決定された種類のコントロールを用いて被選択項目の選択肢表示欄を表示すべき旨を指示する設定操作（コントロール自動変更指示操作）もが受け付けられる。
【０１５５】
図２２に示すように、第２設定欄４７２には、選択肢Ｃ１３もが設けられている。この選択肢Ｃ１３は、コントロール（コントロールの種類）を「（設定）アイテム数に応じて自動的に変更する」旨を示す選択肢である。当該選択肢Ｃ１３が選択されると、入力制御部９３は、「コンボボックス」と「ラジオボタン」とのうち、被選択項目（ここでは「原稿サイズ」）の表示対象候補の個数（設定アイテム数）と所定個数Ｎ（たとえば５個）との大小関係の判定結果に応じて決定された種類のコントロールを用いて選択肢表示欄を表示すべき旨を指示する設定操作（コントロール自動変更指示操作）を受け付ける。なお、当該所定個数Ｎはプリンタドライバにおいて予め設定（規定）されている。また、ここでは、被選択項目「原稿サイズ」における複数の設定候補のうち４つの設定候補（「Ａ３」、「Ａ４」、「Ｂ５」および「はがき」）が、選択肢表示欄に表示すべき設定候補（表示対象候補）として候補指定操作により指定されている。
【０１５６】
候補指定操作と設定操作（コントロール自動変更指示操作）とが受け付けられ、ＯＫボタン４５１が押下されると、表示制御部９４は、２種類のコントロールのうち当該設定操作（コントロール自動変更指示操作）に基づき決定された種類のコントロールを用いて被選択項目（「原稿サイズ」）の選択肢表示欄を「Ｍｙタブ」画面３００に表示する。
【０１５７】
具体的には、候補指定操作とコントロール自動変更指示操作とが受け付けられた後において、表示制御部９４は、被選択項目（「原稿サイズ」）における複数の設定候補のうち候補指定操作により指定された設定候補（表示対象候補）の個数と所定個数Ｎ（５個）との大小関係を判定する。
【０１５８】
被選択項目（「原稿サイズ」）の表示対象候補の個数が所定個数Ｎ（５個）よりも多い旨が判定される場合には、被選択項目（「原稿サイズ」）の選択肢表示欄を「コンボボックス」を用いて「Ｍｙタブ」画面３００に表示すべき旨が決定される。そして、表示制御部９４は、「Ｍｙタブ」画面３００において、判定結果に応じて決定された種類のコントロール（「コンボボックス」）を用いて被選択項目（「原稿サイズ」）の選択肢表示欄を表示する。
【０１５９】
一方、被選択項目（「原稿サイズ」）の表示対象候補の個数が所定個数Ｎ（５個）よりも少ない旨が判定される場合には、被選択項目（「原稿サイズ」）の選択肢表示欄を「ラジオボタン」を用いて「Ｍｙタブ」画面３００に表示すべき旨が決定される。そして、表示制御部９４は、選択肢表示欄の表示に用いるコントロールをデフォルト設定（「コンボボックス」）から「ラジオボタン」に変更するとともに、「Ｍｙタブ」画面３００において、被選択項目（「原稿サイズ」）の選択肢表示欄を「ラジオボタン」を用いて表示する。
【０１６０】
ここでは、被選択項目「原稿サイズ」の表示対象候補として４つの設定候補（「Ａ３」、「Ａ４」、「Ｂ５」および「はがき」）が候補指定操作により指定されている。そして、表示対象候補の個数（設定アイテム数）が所定個数Ｎ（Ｎ＝５）よりも少ない旨が判定され、「Ｍｙタブ」画面３００において、被選択項目「原稿サイズ」の選択肢表示欄が「ラジオボタン」を用いて表示される（図２１参照）。なお、表示対象候補の個数と所定個数Ｎとの大小関係における等号成立時には、選択肢表示欄は「ラジオボタン」を用いて表示される。ただし、これ限定されず、逆に、当該等号成立時に選択肢表示欄が「コンボボックス」を用いて表示されるようにしてもよい。
【０１６１】
以上のように、第５実施形態においては、設定操作に基づき決定された種類のコントロールを用いて被選択項目（「原稿サイズ」）の選択肢表示欄が「Ｍｙタブ」画面３００に表示される。具体的には、選択肢表示欄が「コンボボックス」あるいは「ラジオボタン」を用いて「Ｍｙタブ」画面３００に表示される。したがって、「Ｍｙタブ」画面３００において、ユーザの操作性および設定画面の画面構成を考慮した上で当該選択肢表示欄の表示に最適な種類のコントロールを用いて被選択項目の選択肢表示欄を表示することが可能である。
【０１６２】
特に、被選択項目の表示対象候補の個数（設定アイテム数）に応じた種類のコントロールが選択肢表示欄の表示に用いられるので、「Ｍｙタブ」画面３００において、ユーザの操作性および設定画面の画面構成を考慮した上で最適なコントロールを用いて被選択項目の選択肢表示欄を表示することが可能である。
【０１６３】
なお、第５実施形態では、選択肢表示欄の表示に用いる種類のコントロールの決定に際して、被選択項目における複数の設定候補（全設定候補）のうち候補指定操作により指定された表示対象候補の個数と所定個数Ｎとの大小関係が判定される態様を例示した。しかしながら、これに限定されず、（候補指定操作後の設定候補の個数ではなく、）被選択項目の全設定候補の個数と所定個数Ｎとの大小関係が判定されるようにしてもよい。
【０１６４】
たとえば、設定項目（被選択項目）「ステープル」には、設定内容として設定可能な５つの設定候補（「左コーナー」、「右コーナー」、「２点（左）」、「２点（右）」および「２点（上）」）が存在する（プリンタドライバにおいて予め準備されている）。「Ｍｙタブ」編集画面４００において、（候補指定操作が行われずに、）コントロール自動変更指示操作が受け付けられると、被選択項目の設定候補（全設定候補）の個数と所定個数Ｎ（たとえば５個）との大小関係が判定される。そして、その判定結果に応じて決定された種類のコントロールを用いて被選択項目の選択肢表示欄が「Ｍｙタブ」画面３００に表示される。ここでは、被選択項目「ステープル」の設定候補の個数が所定個数Ｎ（Ｎ＝５）以下である旨が判定され、「Ｍｙタブ」画面３００において被選択項目「ステープル」の選択肢表示欄が「ラジオボタン」を用いて表示される。
【０１６５】
＜６．第６実施形態＞
第６実施形態に係る項目設定装置においては、上記第１〜第５実施形態の各動作に加えてさらに、選択肢表示欄の表示に用いる種類のコントロールの決定に際して基準となる基準個数（所定個数）Ｎをユーザにより設定可能とすることができる。
【０１６６】
具体的には、第２設定欄４７２には、選択肢Ｃ１４もが設けられている（図２３参照）。この選択肢Ｃ１４は、コントロール（コントロールの種類）を「（ユーザにより設定された）条件設定に応じて変更する」旨を示す選択肢である。当該選択肢Ｃ１４が選択されると、選択肢Ｃ１３が選択された場合（コントロール自動変更指示操作が受け付けられた場合）と同様に、２種類のコントロールのうち、被選択項目の表示対象候補の個数と基準個数Ｎとの大小関係の判定結果に応じて決定された種類のコントロールを用いて選択肢表示欄を「Ｍｙタブ」画面３００に表示すべき旨を指示する設定操作（コントロール自動変更指示操作）が受け付けられる。ただし、選択肢Ｃ１４が選択された場合は、ユーザにより設定された基準個数Ｎを判定基準として、「コンボボックス」と「ラジオボタン」とのうちのいずれの種類のコントロールを用いて当該選択肢表示欄を表示するか、が決定される。なお、ここでは、被選択項目「原稿サイズ」における複数の設定候補のうち候補指定操作により４個の設定候補（「Ａ３」、「Ａ４」、「Ｂ５」および「はがき」）が表示対象候補として指定されている。
【０１６７】
図２４は、表示条件設定画面６００を示す図である。第２設定欄４７２（図２３参照）内の選択肢Ｃ１４の下側に配置された「条件設定変更」ボタン４７８が押下されると、表示条件設定画面６００（図２４参照）が「Ｍｙタブ」編集画面４００に重畳して表示される。
【０１６８】
図２４に示すように、表示条件設定画面６００には、設定結果表示欄６０２と設定入力欄６０３とが表示されている。デフォルト設定時においては、設定アイテム数（設定候補（表示対象候補）の個数）がいずれの個数であっても選択肢表示欄を「コンボボックス」により表示する旨が予め設定されている。たとえば、設定入力欄６０３において「ラジオボタンで表示する設定アイテム数」として値「３」がユーザにより入力されると、入力値「３」が基準個数Ｎとして設定される。そして、設定結果表示欄６０２においては、設定アイテム数が３個以下の場合に選択肢表示欄を「ラジオボタン」を用いて表示する旨、が表示される。換言すれば、設定アイテム数が入力値（ここでは値「３」）以下の場合に選択肢表示欄を「ラジオボタン」を用いて表示する旨が決定される。
【０１６９】
そして、候補指定操作とコントロール自動変更指示操作とが受け付けられた後の「Ｍｙタブ」画面３００の表示に際して、被選択項目「原稿サイズ」における設定アイテム数とユーザにより設定された基準個数Ｎ（Ｎ＝３）との大小関係が判定される。ここでは、被選択項目「原稿サイズ」における設定アイテム数（表示対象候補の個数）は「４個」であり、設定アイテム数が、ユーザにより設定された基準個数Ｎ（Ｎ＝３）よりも多い旨、が判定される。そして、当該「Ｍｙタブ」画面３００において、被選択項目「原稿サイズ」の選択肢表示欄は「コンボボックス」を用いて表示される。
【０１７０】
この第６実施形態に係る態様によれば、上記第５実施形態と同様の効果を得ることが可能である。
【０１７１】
＜７．第７実施形態＞
第７実施形態に係る項目設定装置においては、上記第１〜第６実施形態の各動作に加えてさらに被選択項目のデフォルト値の追加指示操作（次述）をも受け付けることができる。
【０１７２】
詳細には、この第７実施形態においては、特定の被選択項目の設定内容に関する禁則（後述）の発生時に当該特定の被選択項目のデフォルト値を表示対象候補に追加すべき旨を指示する設定操作（追加指示操作）もが受け付けられる。そして、当該被選択項目における複数の設定候補のうち候補指定操作により指定された表示対象候補に被選択項目のデフォルト値が含まれていない場合に当該禁則が発生すると、当該デフォルト値もが被選択項目に関する選択肢として被選択項目の選択肢表示欄において表示される。
【０１７３】
ところで、異なる設定項目に関する複数の設定内容の相互間においては、機能制限および／または装置仕様等に起因して、組み合わせて設定することが禁止されている設定内容が存在する。組み合わせた状態での利用が禁止されている２以上の設定内容の組合せは、「組合せ禁止設定」、「禁則設定」あるいは「禁則条件」などとも称される。また、組み合わせて設定することが禁止されている２以上の設定内容の組合せが設定されること（２以上の設定内容の組合せが禁則設定に該当すること）は、「禁則が発生する」などとも称される。
【０１７４】
たとえば、設定項目「原稿サイズ」の設定内容「はがき」と設定項目「ステープル（有効）」との組合せは、組み合わせて設定することが禁止されている。換言すれば、「はがき」と「ステープル（有効）」とは同時に設定することができない設定内容の組合せの１つである。
【０１７５】
禁則が発生した場合の対処手法として、設定項目の設定内容を、ユーザにより指定された設定候補から当該設定項目のデフォルト値（「デフォルト設定内容」あるいは「標準設定内容」などとも表現される）に自動的に変更すること、が考えられる。なお、禁則設定に該当する２以上の設定内容のうち少なくとも１つの設定内容がデフォルト値に変更されることにより、当該禁則が解消されるように予めプリンタドライバにおいて設定されている。
【０１７６】
具体的に、図２５〜図２７を参照して、設定項目の設定内容が、ユーザにより指定された設定候補から設定項目のデフォルト値に変更される際の画面遷移について説明する。
【０１７７】
たとえば、まず、設定項目「ステープル」を「ステープル（有効）」に設定する（チェックボックスにチェック印を付す）印刷設定操作が受け付けられ、つぎに、設定項目「原稿サイズ」の設定候補の中から「はがき」を設定項目「原稿サイズ」の設定内容として指定する印刷設定操作が受け付けられる（図２５参照）と、禁則が発生した旨が判定される。換言すれば、２つの設定項目の設定内容の組合せが禁則設定（組み合わせて設定することが禁止されている設定内容の組合せ）に該当する旨が判定される。印刷設定操作に応じて２つの設定項目の間に禁則関係が発生した旨が判定されると、エラーメッセージ画面７００が印刷設定画面２００に重畳して表示される（図２６参照）。このエラーメッセージ画面７００においては、禁則が発生した旨と、ユーザにより指定された設定候補が設定項目のデフォルト値に変更される旨とが示される。そして、エラーメッセージ画面７００内のＯＫボタン７０１が押下されると、設定項目「原稿サイズ」の設定内容が、ユーザにより指定された設定候補「はがき」から、設定項目「原稿サイズ」のデフォルト値「Ａ４」に自動的に変更される（図２７参照）。
【０１７８】
ここにおいて、第１実施形態においては、被選択項目の設定内容と他の設定項目の設定内容との組合せが禁則設定に該当する場合について考慮せず、被選択項目における複数の設定候補のうちユーザにより指定された設定候補（表示対象候補）のみが被選択項目に関する選択肢として被選択項目の選択肢表示欄において表示される態様を例示した。
【０１７９】
そのため、たとえば当該表示対象候補に被選択項目のデフォルト値が含まれていない場合に被選択項目に関する禁則が発生すると、被選択項目の設定内容としてユーザにより指定された設定候補を被選択項目のデフォルト値に変更することができない。その結果、禁則を解消することができない恐れがある。
【０１８０】
図２８は、被選択項目「原稿サイズ」の選択肢表示欄における表示対象候補として「Ａ３」、「Ｂ５」および「はがき」のみが候補指定操作により指定された場合の「Ｍｙタブ」画面３００を示す図である。図２８に示すように、ここでは、被選択項目「原稿サイズ」のデフォルト値「Ａ４」は、被選択項目「原稿サイズ」の表示対象候補として指定（登録）されていない。この「Ｍｙタブ」画面３００において、たとえば設定候補「はがき」が設定内容として指定され且つ設定項目「ステープル」が「有効」に設定されて禁則が発生すると、ユーザにより指定された設定候補「はがき」を設定項目「原稿サイズ」のデフォルト値「Ａ４」に変更することができない。
【０１８１】
そこで、この第７実施形態においては、被選択項目の設定内容と他の設定項目の設定内容との組合せが禁則設定に該当する場合についても考慮する。詳細には、表示対象候補に被選択項目のデフォルト値が含まれていない場合に被選択項目の設定候補と他の設定項目の設定内容との組合せが禁則設定に該当すると、被選択項目の選択肢表示欄において当該被選択項目のデフォルト値もが被選択項目に関する選択肢として表示される。
【０１８２】
図２９は、第７実施形態に係る「Ｍｙタブ」編集画面４００を示す図である。図２９に示すように、「Ｍｙタブ」編集画面４００には第３設定欄４７３もが設けられている。この第３設定欄４７３において、被選択項目のデフォルト値の表示に関する設定が行われる。この第３設定欄４７３には、図２９に示すように、被選択項目のデフォルト値の表示設定として３つの選択肢Ｃ２１〜Ｃ２３がラジオボタン形式で表示されている。詳細には、選択肢Ｃ２１は、「常にデフォルト値を表示」する旨を示す選択肢であり、選択肢Ｃ２２は、「禁則発生後、デフォルト値を継続的に表示」する旨を示す選択肢であり、さらに、選択肢Ｃ２３は、「禁則発生後、デフォルト値を一時的に表示」する旨を示す選択肢である。各選択肢Ｃ２１〜Ｃ２３が選択された際の動作について以下に説明する。
【０１８３】
まず、選択肢Ｃ２２（「禁則発生後、デフォルト値を継続的に表示」）が選択された場合について説明する。選択肢Ｃ２２がユーザにより選択されると、入力制御部９３は、被選択項目に関する禁則の発生時に被選択項目のデフォルト値を被選択項目の表示対象候補に追加すべき旨を指示する追加指示操作をユーザから受け付ける。換言すれば、被選択項目の設定内容と他の設定項目の設定内容との組合せが禁則設定（組み合わせて設定することが禁止されている設定内容の組合せ）に該当する際に被選択項目のデフォルト値を被選択項目の表示対象候補に追加すべき旨、を指示する追加指示操作を受け付ける。そして、ＯＫボタン４５１が押下されると、その旨（被選択項目に関する禁則の発生時に被選択項目のデフォルト値を表示対象候補に追加すべき旨）が登録される。
【０１８４】
そして、候補指定操作と追加指示操作とが受け付けられた後において、被選択項目「原稿サイズ」のデフォルト値「Ａ４」が候補指定操作により指定されていない場合（図２８参照）に、他の設定項目「ステープル」が「有効」に設定され、次に被選択項目「原稿サイズ」の設定内容として「はがき」が設定されると、禁則が発生した旨が判定される。被選択項目（「原稿サイズ」）の設定内容に関する禁則が発生すると、表示制御部９４は、表示対象候補（「Ａ３」、「Ｂ５」および「はがき」）に被選択項目「原稿サイズ」に関する選択肢としてデフォルト値「Ａ４」を追加する（図１０参照）。また、上述のように、禁則が発生すると、エラーメッセージ画面７００が「Ｍｙタブ」画面３００に重畳して表示される（図２６参照）。そして、エラーメッセージ画面７００内のＯＫボタン７０１が押下されると、設定項目「原稿サイズ」の設定内容が、ユーザにより指定された設定候補「はがき」から、設定項目「原稿サイズ」のデフォルト値「Ａ４」に自動的に変更される（図２７参照）。
【０１８５】
選択肢Ｃ２２が選択された場合、被選択項目「原稿サイズ」のデフォルト値「Ａ４」は、候補指定操作により指定された設定内容（表示対象候補）として追加登録され、次回以降の印刷設定時にも当該選択肢表示欄において被選択項目「原稿サイズ」に関する選択肢として継続的に表示される。
【０１８６】
つぎに、選択肢Ｃ２３（「禁則発生後、デフォルト値を一時的に表示」）が選択された場合について説明する。当該選択肢Ｃ２３が選択された場合は、選択肢Ｃ２２が選択された場合と同様に、被選択項目に関する禁則が発生すると、表示対象候補（「Ａ３」、「Ｂ５」および「はがき」）に被選択項目「原稿サイズ」のデフォルト値「Ａ４」が追加される。
【０１８７】
ただし、選択肢Ｃ２３が選択された場合は、被選択項目「原稿サイズ」のデフォルト値「Ａ４」は、次回以降の印刷設定時には、被選択項目「原稿サイズ」に関する選択肢として当該選択肢表示欄に表示されない。換言すれば、選択肢Ｃ２３（「禁則発生後、デフォルト値を一時的に表示」）が選択された場合、被選択項目に関する禁則が発生すると、表示対象候補に被選択項目「原稿サイズ」のデフォルト値「Ａ４」が一時的に追加される。
【０１８８】
なお、選択肢Ｃ２１（「常にデフォルト値を表示」）が選択された場合は、被選択項目「原稿サイズ」のデフォルト値「Ａ４」は、「Ｍｙタブ」画面３００における被選択項目「原稿サイズ」の選択肢表示欄に当該被選択項目に関する選択肢として常に表示される。
【０１８９】
具体的には、選択肢Ｃ２１が選択されると、「Ｍｙタブ」編集画面４００（図２９参照）において、被選択項目（「原稿サイズ」）のデフォルト値（「Ａ４」）を表示しない旨の候補指定操作を受け付けないように設定される。換言すれば、被選択項目「原稿サイズ」のデフォルト値「Ａ４」が、当該被選択項目の選択肢表示欄に表示すべき設定候補（表示対象候補）として常に指定される。そして、候補指定操作により指定された表示対象候補（たとえば「Ａ３」、「Ａ４」、「Ｂ５」および「はがき」）が被選択項目「原稿サイズ」に関する選択肢として被選択項目「原稿サイズ」の選択肢表示欄において表示される（図１０参照）。
【０１９０】
以上のように、第７実施形態においては、被選択項目（「原稿サイズ」）の表示対象候補に当該被選択項目のデフォルト値（「Ａ４」）が含まれていない場合に被選択項目の設定内容と他の設定項目の設定内容との組合せが禁則設定に該当すると、当該表示対象候補に当該デフォルト値が被選択項目に関する選択肢として追加される。したがって、被選択項目に関する禁則を確実に解消することが可能である。
【０１９１】
なお、上記第７実施形態においては、まず他の設定項目「ステープル」が「ステープル（有効）」に設定され、次に被選択項目「原稿サイズ」の設定候補の中から「はがき」が設定内容として指定されて禁則が発生すると、被選択項目「原稿サイズ」の表示対象候補に当該被選択項目に関する選択肢としてデフォルト値「Ａ４」が追加される態様を例示した。しかしながら、これに限定されず、印刷設定操作の順序が逆であっても、被選択項目「原稿サイズ」のデフォルト値「Ａ４」が当該被選択項目「原稿サイズ」の表示対象候補に選択肢として追加されるようにしてもよい。具体的には、まず被選択項目「原稿サイズ」の設定候補の中から「はがき」が設定内容として指定され、次に他の設定項目「ステープル」が「ステープル（有効）」に設定されて禁則が発生すると、被選択項目「原稿サイズ」の表示対象候補に当該被選択項目に関する選択肢として被選択項目のデフォルト値「Ａ４」が追加されるようにしてもよい。
【０１９２】
このように、被選択項目「原稿サイズ」の印刷設定操作と他の設定項目（「ステープル」）の印刷設定操作との操作順序にかかわらず、当該被選択項目と当該他の設定項目との少なくとも一方に関する印刷設定操作に応じて当該被選択項目の設定内容と他の設定項目の設定内容との間の禁則関係が発生すると、当該被選択項目の表示対象候補に被選択項目のデフォルト値が選択肢として追加されればよい。
【０１９３】
＜８．変形例＞
以上、この発明の実施の形態について説明したが、この発明は上記内容のものに限定されるものではない。
【０１９４】
たとえば、上記第４〜第６実施形態においては、被選択項目の選択肢表示欄の表示に用いられる種類のコントロールとして「コンボボックス」および「ラジオボタン」を例示したが、これに限定されず、様々な種類のコントロール（たとえば「リストボックス」）が当該選択肢表示欄の表示に用いられてもよい。
【０１９５】
また、上記各実施形態等においては、コンピュータ９０で実行されるプリンタドライバの表示画面に本発明の思想が適用される態様が例示されているが、これに限定されない。たとえば、ＭＦＰ１０の操作パネル部６ｃ上の表示画面に本発明の思想が適用されるようにしてもよい。より詳細には、ＭＦＰ１０の操作パネル部６ｃを用いたコピー設定操作において上記の思想が適用されるようにしてもよい。その場合には、ＭＦＰ１０のコントローラ９あるいは操作パネル部６ｃ内のコントローラ（不図示）によって、上記の思想を反映したプログラムが実行されればよい。
【０１９６】
また、上記各実施形態等においては、プリンタドライバの設定操作に本発明の思想が適用される態様が例示されているが、これに限定されない。たとえば、その他のソフトウエアプログラムにおける各種の設定操作に本発明の思想が適用されるようにしてもよい。
【符号の説明】
【０１９７】
１０  ＭＦＰ（画像形成装置）
９０  コンピュータ（項目設定装置）
２００  印刷設定画面
３００  「Ｍｙタブ」画面（カスタマイズ画面）
４００  「Ｍｙタブ」編集画面（項目登録画面）
４６０  項目設定一覧
４７０  「Ｍｙタブ」設定欄
４７１  第１設定欄
４７２  第２設定欄
４７３  第３設定欄
【図１】
0006432304.tif 000002
【図２】
0006432304.tif 000003
【図３】
0006432304.tif 000004
【図４】
0006432304.tif 000005
【図５】
0006432304.tif 000006
【図６】
0006432304.tif 000007
【図７】
0006432304.tif 000008
【図８】
0006432304.tif 000009
【図９】
0006432304.tif 000010
【図１０】
0006432304.tif 000011
【図１１】
0006432304.tif 000012
【図１２】
0006432304.tif 000013
【図１３】
0006432304.tif 000014
【図１４】
0006432304.tif 000015
【図１５】
0006432304.tif 000016
【図１６】
0006432304.tif 000017
【図１７】
0006432304.tif 000018
【図１８】
0006432304.tif 000019
【図１９】
0006432304.tif 000020
【図２０】
0006432304.tif 000021
【図２１】
0006432304.tif 000022
【図２２】
0006432304.tif 000023
【図２３】
0006432304.tif 000024
【図２４】
0006432304.tif 000025
【図２５】
0006432304.tif 000026
【図２６】
0006432304.tif 000027
【図２７】
0006432304.tif 000028
【図２８】
0006432304.tif 000029
【図２９】
0006432304.tif 000030